(57)【要約】  本発明の実施形態は、移動管理方法、アクセスネットワーク制御デバイス、および通信システムを提供する。方法は、アクセスネットワーク制御デバイスによって、第1ステーションを介してユーザ装置UEのロケーションエリア要求メッセージを受信するステップであって、前記UEは前記第1ステーションによって管理されるセル内に位置する、ステップと、アクセスネットワーク制御デバイスによって、前記ロケーションエリア要求メッセージに基づいて前記UEのための少なくとも１つのロケーションエリア識別リストを設定するステップであって、前記ロケーションエリア識別リストは少なくとも１つのロケーションエリア識別情報を含み、前記ロケーションエリア識別情報はロケーションエリアを識別するために使用される、ステップと、前記アクセスネットワーク制御デバイスによって、前記第１ステーションを介して前記少なくとも１つのロケーションエリア識別リストを前記UEに送信するステップと、を含む。方法によると、アクセスネットワークによってＵＥに実行される移動管理が実装され、アクセスネットワークとコアネットワークとの間のシグナリング相互作用が減少し、それによってシグナリング応答速度を向上し、システム性能を向上する。
2019515593.tif 000002
【特許請求の範囲】
【請求項１】
移動管理方法であって、前記方法は、
アクセスネットワーク制御デバイスによって、第１ステーションを介してユーザ装置ＵＥのロケーションエリア要求メッセージを受信するステップであって、前記ＵＥは前記第１ステーションによって管理されるセル内に位置する、ステップと、
前記アクセスネットワーク制御デバイスによって、前記ロケーションエリア要求メッセージに基づいて前記ＵＥのための少なくとも１つのロケーションエリア識別リストを設定するステップであって、前記ロケーションエリア識別リストは少なくとも１つのロケーションエリア識別情報を含み、前記ロケーションエリア識別情報はロケーションエリアを識別するために使用される、ステップと、
前記アクセスネットワーク制御デバイスによって、前記第１ステーションを介して前記少なくとも１つのロケーションエリア識別リストを前記ＵＥに送信するステップと、を含む、
方法。
【請求項２】
前記ロケーションエリアは少なくとも２つのセルを含み、前記少なくとも２つのセルは異なる無線アクセス技術ＲＡＴを使用する、請求項１に記載の方法。
【請求項３】
前記アクセスネットワーク制御デバイスによって、前記ロケーションエリア要求メッセージに基づいて前記ＵＥのための少なくとも１つのロケーションエリア識別リストを設定する前記ステップは、
前記アクセスネットワーク制御デバイスによって、前記ロケーションエリア要求メッセージに基づいて前記ＵＥのための第１ロケーションエリア識別リストと第２ロケーションエリア識別リストを設定するステップを含み、
前記第１ロケーションエリア識別リストの任意のロケーションエリア識別情報によって識別されるロケーションエリア内に含まれる全てのセルは第１のＲＡＴを使用し、前記第２ロケーションエリア識別リストの任意のロケーションエリア識別情報によって識別されるロケーションエリア内に含まれる全てのセルは第２のＲＡＴを使用し、前記第１のＲＡＴは前記第２のＲＡＴとは異なる、
請求項１に記載の方法。
【請求項４】
前記ロケーションエリア要求メッセージは、アタッチ要求メッセージであって、
前記アクセスネットワーク制御デバイスによって、前記ロケーションエリア要求メッセージに基づいて前記ＵＥのためのロケーションエリア識別リストを設定する前記ステップは、
前記無線アクセスネットワークデバイスによって、前記アタッチ要求メッセージに基づいて登録要求メッセージをコアネットワークデバイスに送信するステップと、
前記コアネットワークデバイスによって送信された登録要求応答メッセージを受信した後に、前記無線アクセスネットワークデバイスによって、前記ＵＥのための前記少なくとも１つのロケーションエリア識別リストを設定するステップと、を含み、
前記アクセスネットワーク制御デバイスによって、前記第１ステーションを介して前記少なくとも１つのロケーションエリア識別リストを前記ＵＥに送信する前記ステップは、
前記無線アクセスネットワークデバイスによって、前記第１ステーションを介して、前記少なくとも１つのロケーションエリア識別リストを含むアタッチ要求応答メッセージを前記ＵＥに送信するステップを含む、
請求項１乃至３のいずれか一項に記載の方法。
【請求項５】
前記方法は、
前記アクセスネットワーク制御デバイスによって、前記第１ステーションによって送信されたロケーションエリア更新要求メッセージを受信するステップであって、前記ロケーションエリア更新要求メッセージは、前記ロケーションエリアの更新を要求するために前記ＵＥによって使用される、ステップと、
前記ロケーションエリア更新要求メッセージに基づいて、前記アクセスネットワーク制御デバイスによって、前記ＵＥの前記ロケーションエリア識別リストを更新するステップと、
前記第１ステーションを介して前記無線アクセスネットワークデバイスによって、ロケーションエリア更新要求応答メッセージを前記ＵＥに送信するステップであって、前記ロケーションエリア更新要求応答メッセージは、更新されたロケーションエリア識別リストを含む、ステップと、をさらに含む、
請求項１乃至４のいずれか一項に記載の方法。
【請求項６】
前記ロケーションエリア更新要求メッセージに基づいて、前記アクセスネットワーク制御デバイスによって、前記ＵＥの前記ロケーションエリア識別リストを更新する前記ステップの前に、前記方法は、
前記アクセスネットワーク制御デバイスによって、更新指示を前記コアネットワークデバイスに送信するステップであって、前記更新指示は、前記コアネットワークデバイスに、前記ＵＥに関連するアクセスネットワーク制御デバイスを前記アクセスネットワーク制御デバイスに更新するように命令するために使用される、ステップをさらに含む、請求項５に記載の方法。
【請求項７】
前記更新指示は前記ＵＥの識別情報を含む、
請求項６に記載の方法。
【請求項８】
前記方法は、
前記アクセスネットワーク制御デバイスによって、前記コアネットワークデバイスによって送信された第１のページングメッセージを受信するステップであって、前記第１のページングメッセージは、前記アクセスネットワークサーバに前記ＵＥにページングを実行するように命令するために使用される、ステップと、
前記アクセスネットワークサーバによって、前記ＵＥのために設定された前記ロケーションエリア識別リストに対応するステーションに第２のページングメッセージを送信するステップであって、前記第２のページングメッセージは前記ステーションに前記ＵＥにページングを実行するように命令するために使用される、ステップと、をさらに含む、
請求項１乃至７のいずれか一項に記載の方法。
【請求項９】
アクセスネットワーク制御デバイスであって、
第１ステーションを介してユーザ装置ＵＥのロケーションエリア要求メッセージを受信するのに適合した第１受信ユニットであって、前記ＵＥは前記第１ステーションによって管理されるセル内に位置する、第１受信ユニットと、
前記ロケーションエリア要求メッセージに基づいて前記ＵＥのための少なくとも１つのロケーションエリア識別リストを設定するのに適合した処理ユニットであって、前記ロケーションエリア識別リストは少なくとも１つのロケーションエリア識別情報を含み、前記ロケーションエリア識別情報はロケーションエリアを識別するために使用される、処理ユニットと、
前記第１ステーションを介して前記少なくとも１つのロケーションエリア識別リストを前記ＵＥに送信するのに適合した第１送信ユニットと、を含む、
アクセスネットワーク制御デバイス。
【請求項１０】
前記ロケーションエリアは少なくとも２つのセルを含み、前記少なくとも２つのセルは異なる無線アクセス技術ＲＡＴを使用する、請求項９に記載のアクセスネットワーク制御デバイス。
【請求項１１】
前記処理ユニットは、前記ロケーションエリア要求メッセージに基づいて前記ＵＥのための第１ロケーションエリア識別リストと第２ロケーションエリア識別リストを設定するのに特に適合し、
前記第１ロケーションエリア識別リストの任意のロケーションエリア識別情報によって識別されるロケーションエリア内に構成される全てのセルは第１のＲＡＴを使用し、前記第２ロケーションエリア識別リストの任意のロケーションエリア識別情報によって識別されるロケーションエリア内に構成される全てのセルは第２のＲＡＴを使用し、前記第１のＲＡＴは前記第２のＲＡＴとは異なる、
請求項９に記載のアクセスネットワーク制御デバイス。
【請求項１２】
前記第１受信ユニットによって受信される前記ロケーションエリア要求メッセージは、アタッチ要求メッセージであって、
前記デバイスは、前記第１受信ユニットによって受信された前記アタッチ要求メッセージに基づいて登録要求メッセージをコアネットワークデバイスに送信するのに適合した第２送信ユニットをさらに含み、
前記デバイスは、前記コアネットワークデバイスによって送信された登録要求応答メッセージを受信するのに適合した第２受信ユニットをさらに含み、
前記処理ユニットは、前記コアネットワークデバイスによって送信された前記登録要求応答メッセージを前記第２受信ユニットが受信した後に、前記ＵＥのための前記少なくとも１つのロケーションエリア識別リストを設定するのに特に適合し、
前記第１送信ユニットは、前記第１ステーションを介して前記少なくとも１つのロケーションエリア識別リストを含むアタッチ要求応答メッセージを前記ＵＥに送信するのに特に適合した、
請求項９乃至１１のいずれか一項に記載のアクセスネットワーク制御デバイス。
【請求項１３】
前記第１受信ユニットは、前記第１ステーションによって送信されたロケーションエリア更新要求メッセージを受信するのにさらに適合し、前記ロケーションエリア更新要求メッセージは、前記ロケーションエリアの更新を要求するために前記ＵＥによって使用され、前記処理ユニットは、前記ロケーションエリア更新要求メッセージに基づいて、前記ＵＥの前記ロケーションエリア識別リストを更新するのにさらに適合し、
前記第１送信ユニットは、前記第１ステーションを介して、更新されたロケーションエリア識別リストを含むロケーションエリア更新要求応答メッセージを前記ＵＥに送信するのに特に適合した、
請求項９乃至１２のいずれか一項に記載のアクセスネットワーク制御デバイス。
【請求項１４】
前記アクセスネットワーク制御デバイスは、前記ロケーションエリア更新要求メッセージに基づいて、前記処理ユニットが前記ＵＥの前記ロケーションエリア識別リストを更新する前に、更新指示を前記コアネットワークデバイスに送信するのに適合した第２送信ユニットをさらに含み、前記更新指示は、前記コアネットワークデバイスに、前記ＵＥに関連するアクセスネットワーク制御デバイスを前記アクセスネットワーク制御デバイスに更新するように命令するために使用される、
請求項１３に記載のアクセスネットワーク制御デバイス。
【請求項１５】
前記更新指示は前記ＵＥの識別情報を含む、
請求項１４に記載のアクセスネットワーク制御デバイス。
【請求項１６】
前記方法は、
前記コアネットワークデバイスによって送信された第１のページングメッセージを受信するのに適合した第２受信ユニットであって、前記第１のページングメッセージは、前記アクセスネットワークサーバに前記ＵＥにページングを実行するように命令するために使用される、第２受信ユニットをさらに含み、
前記第１送信ユニットは、前記ＵＥのために設定された前記ロケーションエリア識別リストに対応するステーションに第２のページングメッセージを送信するのにさらに適合し、前記第２ページングメッセージは前記ＵＥにページングを実行するために使用される、
請求項９乃至１１に記載のアクセスネットワーク制御デバイス。
【請求項１７】
コアネットワークデバイスによって、アクセスネットワーク制御デバイスによって送信された更新指示を受信するステップであって、前記更新指示は、ユーザ装置ＵＥの識別情報を含み、前記ＵＥに関連するアクセスネットワーク制御デバイスを前記アクセスネットワーク制御デバイスに更新するように命令するために使用される、ステップと、
前記コアネットワークデバイスによって、前記ＵＥの前記識別情報に基づいて、前記ＵＥに関連するアクセスネットワーク制御デバイスを前記アクセスネットワーク制御デバイスに更新するステップと、を含む、
移動管理方法。
【請求項１８】
前記方法は、
前記コアネットワークデバイスによって、識別マッピングリストを整備するステップであって、前記識別マッピングリストは、前記ＵＥの前記識別情報と前記アクセスネットワーク制御デバイスの識別情報との間のマッピング関係を示す、ステップをさらに含み、
前記コアネットワークデバイスによって、前記ＵＥの前記識別情報に基づいて、前記ＵＥに関連するアクセスネットワーク制御デバイスを前記アクセスネットワーク制御デバイスに更新する前記ステップは、
前記コアネットワークデバイスによって、前記ＵＥの前記識別情報に基づいて、前記ＵＥの前記識別情報にマッピングされ、かつ前記識別マッピングリストにある、アクセスネットワーク制御デバイスの識別情報を、前記アクセスネットワーク制御デバイスの前記識別情報に更新するステップを含む、
請求項１７に記載の方法。
【請求項１９】
前記方法は、
前記コアネットワークデバイスによって、リリース要求をソースアクセスネットワーク制御デバイスに送信するステップであって、前記リリース要求は、前記ソースアクセスネットワーク制御デバイスに、前記ＵＥのコンテキストをリリースするように命令するために使用され、前記ソース無線アクセスネットワークサービスは、前記更新する前の前記ＵＥに関連するアクセスネットワーク制御デバイスである、ステップをさらに含む、
請求項１７に記載の方法。
【請求項２０】
コアネットワークデバイスであって、
アクセスネットワーク制御デバイスによって送信された更新指示を受信するのに適合した受信ユニットであって、前記更新指示は、ユーザ装置ＵＥの識別情報を含み、前記ＵＥは前記アクセスネットワーク制御デバイスによって管理されるセル内に位置する、受信ユニットと、
前記ＵＥの前記識別情報に基づいて、前記ＵＥに関連するアクセスネットワーク制御デバイスを前記アクセスネットワーク制御デバイスに更新するのに適合した、処理ユニットと、を含む、
コアネットワークデバイス。
【請求項２１】
前記処理ユニットは、識別マッピングリストを整備するのにさらに適合し、前記識別マッピングリストは、前記ＵＥの前記識別情報と前記アクセスネットワーク制御デバイスの識別情報との間のマッピング関係を示し、
前記処理ユニットは、前記ＵＥの前記識別情報に基づいて、前記ＵＥに関連するアクセスネットワーク制御デバイスを前記アクセスネットワーク制御デバイスに更新するステップは、
前記ＵＥの前記識別情報に基づいて、前記ＵＥの前記識別情報にマッピングされ、かつ前記識別マッピングリストにある、アクセスネットワーク制御デバイスの識別情報を、前記アクセスネットワーク制御デバイスの前記識別情報に更新するステップを含む、
請求項２０に記載のコアネットワークデバイス。
【請求項２２】
前記デバイスは、送信ユニットをさらに含み、前記送信ユニットは、リリース要求をソースアクセスネットワーク制御デバイスに送信するのに適合し、前記リリース要求は、前記ソースアクセスネットワーク制御デバイスに、前記ＵＥのコンテキストをリリースするように命令するために使用され、前記ソース無線アクセスネットワークサービスは、前記更新する前の前記ＵＥに関連するアクセスネットワーク制御デバイスである、請求項２０に記載のコアネットワークデバイス。
【発明の詳細な説明】
【技術分野】
【０００１】
本発明の実施形態は無線通信の分野に関し、特に移動管理に関する。
【背景技術】
【０００２】
無線技術の発展に伴い、次世代無線通信システムの研究がますます盛んである。次世代無線通信システムのための既存のロングタームエボリューション（Long Term Evolution, LTE）技術と比較して、新しい無線アクセス技術（new radio access technology, New RATまたはNR）は、より短い待ち時間およびより高い帯域幅を提供することができ、増加する移動通信の要求を満たすために大量の接続をサポートする。
【０００３】
次世代無線通信システムの要件は、複数の規格をサポートする無線インタフェース送信を含む。この要件に基づいて、新しいネットワークアーキテクチャが提供される。ネットワークアーキテクチャは、ＮＲをサポートするコアネットワークを含む。コアネットワークは、少なくとも１つの無線アクセスネットワーク（radio access network, RAN）サーバを含む。アクセスネットワーク制御デバイスは、異なるＲＡＴ無線インタフェースをそれぞれ提供するために、複数の異なる無線アクセス技術（radio access technology, RAT）を使用するステーションを含んでもよい。ネットワークアーキテクチャにおいて、ユーザ装置（user equipment, UE）がＲＡＴを使用するステーションのカバレッジエリアにあるにもかかわらず、ＵＥとコアネットワークとの間の情報交換は、対応するアクセスネットワーク制御デバイスとコアネットワークとの間のインタフェースを使用することによって実装される。アイドル状態にある比較的大量のＵＥがセルを再選択する、またはアクセスネットワーク制御デバイス内で移動するとき、大量のシグナリング相互作用がアクセスネットワーク制御デバイスとコアネットワークとの間に存在する。その結果、過剰なシグナリングはインタフェースの過負荷を引き起こし、シグナリング応答速度が遅くなり、システム性能に影響を与える。
【発明の概要】
【０００４】
本発明の実施形態は、コアネットワーク側のインタフェースシグナリング負荷を低減するための移動管理方法を提供する。本発明の実施形態は、アクセスネットワーク制御デバイスと通信システムをさらに提供する。
【課題を解決するための手段】
【０００５】
第１の態様に従って、移動管理方法が提供され、概方法は、アクセスネットワーク制御デバイスによって、第１ステーションを介してユーザ装置ＵＥのロケーションエリア要求メッセージを受信するステップであって、ＵＥは第１ステーションによって管理されるセル内に位置する、ステップと、アクセスネットワーク制御デバイスによって、ロケーションエリア要求メッセージに基づいてＵＥのための少なくとも１つのロケーションエリア識別リストを設定するステップであって、ロケーションエリア識別リストは少なくとも１つのロケーションエリア識別情報を含み、ロケーションエリア識別情報はロケーションエリアを識別するために使用される、ステップと、アクセスネットワーク制御デバイスによって、第１ステーションを介して少なくとも１つのロケーションエリア識別リストをＵＥに送信するステップと、を含む。
【０００６】
第１の態様を参照して、第１の態様の第１の実施形態において、ロケーションエリアは少なくとも２つのセルを含み、少なくとも２つのセルは異なる無線アクセス技術ＲＡＴを使用する。例えば、１つのセルはＬＴＥアクセス技術を使用し、別のせるはＵＭＴＳアクセスシステムを使用する。
【０００７】
第１の態様を参照して、第１の態様の第２の実施形態において、アクセスネットワーク制御デバイスによって、ロケーションエリア要求メッセージに基づいてＵＥのための少なくとも１つのロケーションエリア識別リストを設定するステップは、アクセスネットワーク制御デバイスによって、ロケーションエリア要求メッセージに基づいてＵＥのための第１ロケーションエリア識別リストと第２ロケーションエリア識別リストを設定するステップを含み、第１ロケーションエリア識別リストの任意のロケーションエリア識別情報によって識別されるロケーションエリア内に含まれる全てのセルは第１のＲＡＴを使用し、第２ロケーションエリア識別リストの任意のロケーションエリア識別情報によって識別されるロケーションエリア内に含まれる全てのセルは第２のＲＡＴを使用し、第１のＲＡＴは第２のＲＡＴとは異なる。例えば、ロケーションエリア識別リストＡとＢはＵＥのために設定される。ロケーションエリア識別リストＡ内の任意のロケーションエリア識別情報によって識別されるロケーションエリア内に含まれる全てのセルは、ＬＴＥアクセス技術を使用し、ロケーションエリア識別リストＡ内の任意のロケーションエリア識別情報によって識別されるロケーションエリア内に含まれる全てのセルは、ＵＭＴＳアクセス技術を使用する。
【０００８】
第１の態様の任意の１つまたは第１の態様の前述の実施形態を参照して、第１の態様の第３の実施形態において、ロケーションエリア要求メッセージは、アタッチ要求メッセージであって、
アクセスネットワーク制御デバイスによって、ロケーションエリア要求メッセージに基づいてＵＥのためのロケーションエリア識別リストを設定するステップは、無線アクセスネットワークデバイスによって、アタッチ要求メッセージに基づいて登録要求メッセージをコアネットワークデバイスに送信するステップと、コアネットワークデバイスによって送信された登録要求応答メッセージを受信した後に、無線アクセスネットワークデバイスによって、ＵＥのための少なくとも１つのロケーションエリア識別リストを設定するステップと、を含み、
アクセスネットワーク制御デバイスによって、第１ステーションを介して少なくとも１つのロケーションエリア識別リストをＵＥに送信するステップは、無線アクセスネットワークデバイスによって、第１ステーションを介して、少なくとも１つのロケーションエリア識別リストを含むアタッチ要求応答メッセージをＵＥに送信するステップを含む。
【０００９】
第１の態様の任意の１つまたは第１の態様の前述の実施形態を参照して、第１の態様の第４の実施形態において、該方法は、アクセスネットワーク制御デバイスによって、第１ステーションによって送信されたロケーションエリア更新要求メッセージを受信するステップであって、ロケーションエリア更新要求メッセージは、ロケーションエリアの更新を要求するためにＵＥによって使用される、ステップと、ロケーションエリア更新要求メッセージに基づいて、アクセスネットワーク制御デバイスによって、ＵＥのロケーションエリア識別リストを更新するステップと、第１ステーションを介して無線アクセスネットワークデバイスによって、ロケーションエリア更新要求応答メッセージをＵＥに送信するステップであって、ロケーションエリア更新要求応答メッセージは、更新されたロケーションエリア識別リストを含む、ステップと、をさらに含む。
【００１０】
第１の態様の第４の実施形態を参照して、第１の態様の第５の実施形態において、ロケーションエリア更新要求メッセージに基づいて、アクセスネットワーク制御デバイスによって、ＵＥのロケーションエリア識別リストを更新するステップの前に、方法は、アクセスネットワーク制御デバイスによって、更新指示をコアネットワークデバイスに送信するステップであって、更新指示は、コアネットワークデバイスに、ＵＥに関連するアクセスネットワーク制御デバイスをアクセスネットワーク制御デバイスに更新するように命令するために使用される、ステップをさらに含む。
【００１１】
第１の態様の第５の実施形態を参照して、第１の態様の第６の実施形態において、更新指示はＵＥの識別情報を含む。
【００１２】
第１の態様の任意の１つまたは第１の態様の前述の実施形態を参照して、第１の態様の第７の実施形態において、アクセスネットワーク制御デバイスによって、コアネットワークデバイスによって送信された第１のページングメッセージを受信するステップであって、第１のページングメッセージは、アクセスネットワークサーバにＵＥにページングを実行するように命令するために使用される、ステップと、アクセスネットワークサーバによって、ＵＥのために設定されたロケーションエリア識別リストに対応するステーションに第２のページングメッセージを送信するステップであって、第２のページングメッセージはステーションにＵＥにページングを実行するように命令するために使用される、ステップと、をさらに含む。
【００１３】
第２の態様に従って、アクセスネットワーク制御デバイスが提供される。アクセスネットワーク制御デバイスは、第１ステーションを介してユーザ装置ＵＥのロケーションエリア要求メッセージを受信するのに適合した第１受信ユニットであって、ＵＥは第１ステーションによって管理されるセル内に位置する、第１受信ユニットと、ロケーションエリア要求メッセージに基づいてＵＥのための少なくとも１つのロケーションエリア識別リストを設定するのに適合した処理ユニットであって、ロケーションエリア識別リストは少なくとも１つのロケーションエリア識別情報を含み、ロケーションエリア識別情報はロケーションエリアを識別するために使用される、処理ユニットと、第１ステーションを介して少なくとも１つのロケーションエリア識別リストをＵＥに送信するのに適合した第１送信ユニットと、を含む。
【００１４】
第２の態様を参照して、第２の態様の第１の実施形態において、ロケーションエリアは少なくとも２つのセルを含み、少なくとも２つのセルは異なる無線アクセス技術ＲＡＴを使用する。
【００１５】
第２の態様を参照して、第２の態様の第２の実施形態において、処理ユニットは、ロケーションエリア要求メッセージに基づいてＵＥのための第１ロケーションエリア識別リストと第２ロケーションエリア識別リストを設定するのに特に適合し、第１ロケーションエリア識別リストの任意のロケーションエリア識別情報によって識別されるロケーションエリア内に構成される全てのセルは第１のＲＡＴを使用し、第２ロケーションエリア識別リストの任意のロケーションエリア識別情報によって識別されるロケーションエリア内に構成される全てのセルは第２のＲＡＴを使用し、第１のＲＡＴは第２のＲＡＴとは異なる。
【００１６】
第２の態様の任意の１つまたは第２の態様の前述の実施形態を参照して、第２の態様の第３の実施形態において、第１受信ユニットによって受信されるロケーションエリア要求メッセージは、アタッチ要求メッセージであって、
デバイスは、第１受信ユニットによって受信されたアタッチ要求メッセージに基づいて登録要求メッセージをコアネットワークデバイスに送信するのに適合した第２送信ユニットをさらに含み、
デバイスは、コアネットワークデバイスによって送信された登録要求応答メッセージを受信するのに適合した第２受信ユニットをさらに含み、
処理ユニットは、コアネットワークデバイスによって送信された登録要求応答メッセージを第２受信ユニットが受信した後に、ＵＥのための少なくとも１つのロケーションエリア識別リストを設定するのに特に適合し、
第１送信ユニットは、第１ステーションを介して少なくとも１つのロケーションエリア識別リストを含むアタッチ要求応答メッセージをＵＥに送信するのに特に適合する。
【００１７】
第２の態様の任意の１つまたは第２の態様の前述の実施形態を参照して、第２の態様の第４の実施形態において、第１受信ユニットは、第１ステーションによって送信されたロケーションエリア更新要求メッセージを受信するのにさらに適合し、ロケーションエリア更新要求メッセージは、ロケーションエリアの更新を要求するためにＵＥによって使用され、処理ユニットは、ロケーションエリア更新要求メッセージに基づいて、ＵＥのロケーションエリア識別リストを更新するのにさらに適合し、第１送信ユニットは、第１ステーションを介して、更新されたロケーションエリア識別リストを含むロケーションエリア更新要求応答メッセージをＵＥに送信するのに特に適合する。
【００１８】
第２の態様の第４の実施形態を参照して、第２の態様の第５の実施形態において、アクセスネットワーク制御デバイスは、ロケーションエリア更新要求メッセージに基づいて、処理ユニットがＵＥのロケーションエリア識別リストを更新する前に、更新指示をコアネットワークデバイスに送信するのに適合した第２送信ユニットをさらに含み、更新指示は、コアネットワークデバイスに、ＵＥに関連するアクセスネットワーク制御デバイスをアクセスネットワーク制御デバイスに更新するように命令するために使用される。
【００１９】
第２の態様の第５の実施形態を参照して、第２の態様の第６の実施形態において、更新指示はＵＥの識別情報を含む。
【００２０】
第２の態様の任意の１つまたは第２の態様の前述の実施形態を参照して、第２の態様の第７の実施形態において、デバイスは、コアネットワークデバイスによって送信された第１のページングメッセージを受信するのに適合した第２受信ユニットであって、第１のページングメッセージは、アクセスネットワークサーバにＵＥにページングを実行するように命令するために使用される、第２受信ユニットをさらに含み、
第１送信ユニットは、ＵＥのために設定されたロケーションエリア識別リストに対応するステーションに第２のページングメッセージを送信するのにさらに適合し、第２ページングメッセージはＵＥにページングを実行するために使用される。
【００２１】
第３の態様に従って、移動管理方法が提供される。概方法は、コアネットワークデバイスによって、アクセスネットワーク制御デバイスによって送信された更新指示を受信するステップであって、更新指示は、ユーザ装置ＵＥの識別情報を含み、ＵＥに関連するアクセスネットワーク制御デバイスをアクセスネットワーク制御デバイスに更新するように命令するために使用される、ステップと、コアネットワークデバイスによって、ＵＥの識別情報に基づいて、ＵＥに関連するアクセスネットワーク制御デバイスをアクセスネットワーク制御デバイスに更新するステップと、を含む。
【００２２】
第３の態様を参照して、第３の態様の第１の実施形態において、概方法は、コアネットワークデバイスによって、識別マッピングリストを整備するステップであって、識別マッピングリストは、ＵＥの識別情報とアクセスネットワーク制御デバイスの識別情報との間のマッピング関係を示す、ステップをさらに含み、コアネットワークデバイスによって、ＵＥの識別情報に基づいて、ＵＥに関連するアクセスネットワーク制御デバイスをアクセスネットワーク制御デバイスに更新するステップは、コアネットワークデバイスによって、ＵＥの識別情報に基づいて、ＵＥの識別情報にマッピングされ、かつ識別マッピングリストにある、アクセスネットワーク制御デバイスの識別情報を、アクセスネットワーク制御デバイスの識別情報に更新するステップを含む。
【００２３】
第３の態様を参照して、第３の態様の第２の実施形態において、概方法は、コアネットワークデバイスによって、リリース要求をソースアクセスネットワーク制御デバイスに送信するステップであって、リリース要求は、ソースアクセスネットワーク制御デバイスに、ＵＥのコンテキストをリリースするように命令するために使用され、ソース無線アクセスネットワークサービスは、更新する前のＵＥに関連するアクセスネットワーク制御デバイスである、ステップをさらに含む。
【００２４】
第４の態様に従って、コアネットワークデバイスが提供される。コアネットワークデバイスは、アクセスネットワーク制御デバイスによって送信された更新指示を受信するのに適合した受信ユニットであって、更新指示は、ユーザ装置ＵＥの識別情報を含み、ＵＥはアクセスネットワーク制御デバイスによって管理されるセル内に位置する、受信ユニットと、ＵＥの識別情報に基づいて、ＵＥに関連するアクセスネットワーク制御デバイスをアクセスネットワーク制御デバイスに更新するのに適合した、処理ユニットと、を含む。アクセスネットワーク制御デバイスは、ＵＥに移動管理を実行し、ＵＥがアクセスネットワーク制御デバイスを横切って移動するときにのみ、対応関係を更新するためにコアネットワークデバイスに通知し、アクセスネットワーク側とコアネットワーク側との間のシグナリング相互作用を低減し、インタフェースシグナリング負荷を低減し、それによってシグナリング応答速度を向上し、システム性能を向上する。
【００２５】
第４の態様を参照して、第４の態様の第１の実施形態において、処理ユニットは、識別マッピングリストを整備するのにさらに適合し、識別マッピングリストは、ＵＥの識別情報とアクセスネットワーク制御デバイスの識別情報との間のマッピング関係を示し、処理ユニットは、ＵＥの識別情報に基づいて、ＵＥに関連するアクセスネットワーク制御デバイスをアクセスネットワーク制御デバイスに更新するステップは、ＵＥの識別情報に基づいて、ＵＥの識別情報にマッピングされ、かつ識別マッピングリストにある、アクセスネットワーク制御デバイスの識別情報を、アクセスネットワーク制御デバイスの識別情報に更新するステップを含む。アクセスネットワーク制御デバイスは、ＵＥに移動管理を実行し、ＵＥがアクセスネットワーク制御デバイスを横切って移動するときにのみ、対応関係を更新するためにコアネットワークデバイスに通知し、アクセスネットワーク側とコアネットワーク側との間のシグナリング相互作用を低減し、インタフェースシグナリング負荷を低減し、それによってシグナリング応答速度を向上し、システム性能を向上する。
【００２６】
第４の態様を参照して、第４の態様の第２の実施形態において、デバイスは、送信ユニットをさらに含み、送信ユニットは、リリース要求をソースアクセスネットワーク制御デバイスに送信するのに適合し、リリース要求は、ソースアクセスネットワーク制御デバイスに、ＵＥのコンテキストをリリースするように命令するために使用され、ソース無線アクセスネットワークサービスは、更新する前のＵＥに関連するアクセスネットワーク制御デバイスである。
【００２７】
本発明の実施形態において開示された方法、デバイス、およびシステムによると、アクセスネットワーク制御デバイスは、ＵＥに移動管理を実行し、アクセスネットワーク側とコアネットワーク側の間のシグナリング相互作用を低減し、インタフェースシグナリング負荷を低減し、それによってシグナリング応答速度を向上し、システム性能を向上する。
【図面の簡単な説明】
【００２８】
本発明の実施形態における技術的解決策をより明確に説明するために、実施形態を説明するために必要な添付図面を簡単に説明する。明らかに、以下の説明における添付図面は、本発明のいくつかの実施形態を示すだけであり、当業者は創造的な努力無しにこれらの添付図面から他の図面をさらに引き出すことができる。
【図１】本発明の一実施形態に従ったアプリケーションシナリオの概略図である。
【図２】本発明の一実施形態に従った、移動管理方法の概略フローチャートである。
【図３】本発明の一実施形態に従ったアタッチ方法の概略的なシグナリングフローチャートである。
【図４】本発明の一実施形態に従ったロケーションエリア更新方法の概略的なシグナリングフローチャートである。
【図５】本発明の一実施形態に従った別のロケーションエリア更新方法の概略的なシグナリングフローチャートである。
【図６】本発明の一実施形態に従った、アクセスネットワーク制御デバイスの概略構成図である。
【図７】本発明の一実施形態に従ったアクセスネットワーク制御デバイスの可能な概略構成図である。
【図８】本発明の一実施形態に従ったコアネットワークデバイスの概略構成図である。
【図９】本発明の一実施形態に従ったコアネットワークデバイスの可能な概略構造図である。
【図１０】本発明の一実施形態に従った通信システムの概略図である。
【００２９】
この明細書に記載された技術は、例えば、汎欧州デジタル移動電話方式（Global System for Mobile communications, GSM（登録商標））などの２Ｇシステム、広帯域符号分割多元接続（Wideband Code Division Multiple Access Wireless, WCDMA（登録商標））システムなどの３Ｇシステム、ロングタームエボリューション（Long Term Evolution, LTE）システムなどの４Ｇシステム、ＬＴＥの進化したものであるＮＲ通信システム、無線ローカルエリアネットワーク（WLAN、wireless local area network）とセルラネットワークとの組み合わせの通信ネットワークといった様々な通信システムに適用されてもよい。特に、本発明の実施形態で説明した新しい無線アクセス技術（new radio access technology, NR/NRAT）は、４Ｇシステムの後に出現する５Ｇ通信システムを含む通信技術と考えられてもよい。
【００３０】
本発明の実施形態における基地局は、ＧＳＭ（登録商標）におけるベーストランシーバ基地局（Base Transceiver Station, BTS）、ＷＣＤＭＡ（登録商標）におけるノードＢ（NodeB）、あるいはＬＴＥにおける進化型ノードＢ（eNBまたはe-NodeB、evolved NodeB）、ＮＲ通信システムにおける類似の基地局などであってもよい。
【００３１】
本発明の実施形態において、通信システムの概念は通信ネットワークの概念と同じであり、通信システムは、本発明の実施形態において説明のための一例として使用される。
【００３２】
本発明の実施形態におけるUEは、無線通信機能を有するハンドヘルドデバイス、車両装置、ウェアラブルデバイス、コンピューティングデバイス、あるいは無線モデムに接続された別の処理デバイス、ユーザ装置（User Equipment, UE）、移動局（mobile station, MS）、端末（terminal）、端末装置（terminal equipment）、などの様々な形態のものを含んでもよい。説明を容易にするために、本明細書において、ＵＥは「ユーザ装置」または「ＵＥ」と呼ばれる。
【００３３】
本発明の実施形態において、基地局からＵＥへの一方向通信リンクはダウンリンクとして定義され、ＵＥから基地局への一方向通信リンクはアップリンクである。
【００３４】
本発明の実施形態において説明されるリソースは、時間領域リソースおよび周波数領域リソースを含む送信リソースであり、アップリンク通信プロセスまたはダウンリンク通信プロセスにおいてデータまたはシグナリングを記憶するために使用される。つまり、本発明の実施形態におけるリソースは、基地局によってＵＥに割り当てられたアップリンクリソースであり、ＵＥがアップリンクデータを送信するために使用されてもよく、あるいは基地局によってＵＥに割り当てられたダウンリンクリソースであり、ＵＥがダウンリンクデータを受信するために使用されてもよい。
【００３５】
本明細書における「および／または」という用語は、関連するオブジェクトを記述するための関連関係のみを記述し、３つの関係が存在し得ることを表す。以下の３つの場合、すなわち、Ａおよび／またはＢは、Ａのみ存在し、ＡおよびＢの両方が存在し、Ｂのみが存在する、を表すことができる。さらに、本明細書における文字「／」は、関連するオブジェクト間の「または」関係を示す。
【００３６】
本発明の実施形態における「複数の」という用語は、２つまたは３つ以上を意味する。本発明の実施形態における「第１」および「第２」などの記載は、単なる一例にすぎず、記載された対象間の区別を意図しているが、特定のシーケンスを特に示さず、本発明の実施形態におけるデバイスの数に特に限定するものではなく、本発明の実施形態を限定するものではない。
【００３７】
図１は、本発明の一実施形態に従ったアプリケーションシナリオの概略図である。図１に示された通信ネットワークは、コアネットワーク（core network, CN）と無線アクセスネットワーク（radio access network, RAT）を含み、ＣＮはＲＡＮを管理する。本発明のこの実施形態におけるＣＮは、５Ｇ  ＣＮであり、ＮＲアクセスネットワークなどを含む新しいアクセスネットワーク、２Ｇ、３Ｇ、あるいは４Ｇアクセスネットワーク、およびＷＬＡＮを含むＲＡＮの異なる規格を管理してもよく、サービストラフィック統計、課金、およびサービス配信などの様々なコアネットワーク機能を有する。
【００３８】
図１に示すように、ＲＡＮはアクセスネットワーク制御デバイスおよびステーションを含む。特に、異なる無線アクセス技術（radio access technology, RAT）を使用する様々なステーションは、アクセスネットワーク制御デバイス下に配置されてもよい。つまり、各ステーションの規格は異なる。アクセスネットワーク制御デバイスは、アクセスネットワーク制御デバイスのカバレッジエリア内の様々なステーションの統一的な管理を行う。本発明のこの実施形態において、アクセスネットワーク制御デバイスは、無線アクセスネットワークサーバ（略して「RAN server」）であってもよい。ＲＡＮサーバは、様々な規格のステーションを管理する。
【００３９】
ＣＮとアクセスネットワーク制御デバイスとの間に通信インタフェースが存在し、ＣＮとＲＡＮとの間の通信を実装する。特に、光ファイバーあるいはマイクロ波が接続のために用いられてもよい。アクセスネットワーク制御デバイスは、様々な有線または無線の方法でステーションと通信してもよい。これは、本発明のこの実施形態において限定されない。
【００４０】
ステーションは、異なるＲＡＴ無線インタフェースをそれぞれ提供する。例えば、図１に示すように、ｅＮＢ、ＮＲステーション、およびＷＬＡＮアクセスポイント（access point, AP）は、アクセスネットワーク制御デバイスに接続され、ＬＴＥ無線インタフェースサービス、ＮＲ無線インタフェースサービス、およびＷＬＡＮ無線インタフェースサービスを別々に提供してもよい。各ステーションは、１つ又は複数のセルを管理してもよい。例えば、ｅＮＢによって管理されるセルは、ＬＴＥ  ｃｅｌｌと呼ばれ、ＮＲステーションによって管理されるセルは、ＮＲ  ｃｅｌｌと呼ばれ、ＷＬＡＮ  ＡＰによって管理されるセルは、ＷＬＡＮセルと呼ばれる。ＵＥが対応するセルに入った後、対応するステーションによって提供される無線インタフェースサービスは、ステーションがアクセスされた後に取得されることができる。
【００４１】
ＬＴＥプロトコルスタックを参照すると、本発明の実施形態において提供されるアクセスネットワーク制御デバイスは、上位レイヤの機能、つまりパケットデータカバレッジプロトコル（Packet Data Convergence Protocol, PDCP）レイヤと上位レイヤの機能を有する。これに対応して、アクセスネットワーク制御デバイスによって管理されるｅＮＢ、ＮＲステーション、およびＷＬＡＮ  ＡＰは、それぞれ下位レイヤプロトコルスタックで構成されてもよく、およびアクセスネットワーク制御デバイスの上位レイヤプロトコル機能を共有してもよい。任意の解決策は、すなわち、アクセスネットワーク制御デバイスのプロトコルスタックが、無線リソース制御（Radio Resource Control, RRC）レイヤ、ＰＤＣＰレイヤ、およびアクセス適合（Access Adaption）レイヤを含むことである。アクセス適合レイヤは、ステーションの各規格とＣＮとの間のシグナリング相互作用に適合されることができ、そうすることによってＣＮはアクセス規格を感知しない。これに対応して、ｅＮＢとＮＲステーションのプロトコルスタックは、無線リンク制御（Radio Link Control, RLC）レイヤ、メディアアクセス制御（Media Access Control, MAC）レイヤ、および物理レイヤを含み、ＷＬＡＮ  ＡＰのプロトコルスタックはＭＡＣレイヤと物理レイヤを含む。
【００４２】
本発明の別の実施形態において、アクセスネットワーク制御デバイスは、制御ユニット（control unit, CU）であってもよく、ステーションは分散ユニット（distributed unit, DU）であってもよく、ＣＵとＤＵは一緒にＲＡＮを構成する。ＣＵは、複数の異なる規格のＤＵを管理してもよい。
【００４３】
ＣＮは１つ以上のアクセスネットワーク制御デバイスに接続されてもよいことが理解されよう。図１に示すアクセスネットワーク制御デバイスの数は、単なる一例であり、通信ネットワーク内のアクセスネットワーク制御デバイスの数を限定するものではない。実際のネットワーク構築では、アクセスネットワーク制御デバイスの任意の数がネットワーク性能要求に基づいて設定され得る。
【００４４】
これに対応して、本発明のこの実施形態におけるＵＥは、マルチモード通信をサポートする、つまり、前述の通信ネットワークのステーションの任意の１つと通信してもよい。例えば、ＵＥはｅＮＢ、ＮＲステーション、ＷＬＡＮ  ＡＰにそれぞれキャンプオンし、および各ステーションの無線インタフェースを使用することによってデータを送信することができる。
【００４５】
アクセスネットワーク制御デバイスのネットワークアーキテクチャにおいて、ＵＥは少なくとも２つの状態、すなわち、アイドル状態および接続状態を有してもよい。アイドル状態において、ＵＥのコンテキストはＲＡＮ側、すなわち、アクセスネットワーク制御デバイスとステーションの各規格に保持されることはできないが、ＵＥのコンテキストはＣＮ内に保持されることができる。接続状態において、ＵＥと少なくとも１つのステーションの規格との間に接続があり、ＵＥのコンテキストはＲＡＮ側とＣＮの両方に保持される。
【００４６】
さらに、ＵＥは非アクティブ状態を有してもよい。状態は、アイドル状態と接続状態との間である。ＵＥが非アクティブ状態にあるとき、ＵＥのコンテキストはＲＡＮ側とＣＮ側の両方に保持されるが、ＵＥとＲＡＮとの間に無線インタフェース接続は無い。
【００４７】
本発明は、アイドル状態および非アクティブ状態のＵＥに適用可能である。例えば、この実施形態において、アイドル状態にあるＵＥの移動が説明のための例として用いられる。
【００４８】
図２は、本発明の一実施形態に従った、移動管理方法の概略フローチャートである。移動管理方法は、ステップＳ２０１からＳ２０３を含む。
【００４９】
Ｓ２０１：アクセスネットワーク制御デバイスが第１ステーションを介してユーザ装置ＵＥのロケーションエリア要求メッセージを受信し、ＵＥは第１ステーションによって管理されたセル内に位置する。
【００５０】
具体的には、第１ステーションはアクセスネットワーク制御デバイスによって管理されるステーションである。第１ステーションのセルに入った後、ＵＥは第１ステーションにアクセスして通信サービスを取得してもよい。第１ステーションは任意の規格のステーションであってもよい。これは、本発明のこの実施形態において限定されない。
【００５１】
Ｓ２０２：アクセスネットワーク制御デバイスがロケーションエリア要求メッセージに基づいてＵＥのための少なくとも１つのロケーションエリア識別リストを設定し、ロケーションエリア識別リストは少なくとも１つのロケーションエリア識別情報を含み、ロケーションエリア識別情報はロケーションエリアを識別するために使用される。
【００５２】
アクセスネットワーク制御デバイスは、例えば、ＰＤＣＰレイヤおよび上位レイヤの機能を有する、第１ステーションのための上位レイヤプロトコルサービスを提供してもよい。
【００５３】
Ｓ２０３：アクセスネットワーク制御デバイスが第１ステーションを介して少なくとも１つのロケーションエリア識別リストをＵＥに送信する。
【００５４】
本発明のこの実施形態におけるロケーションエリア識別情報は、アイドル状態にあるＵＥが位置するロケーションエリアを示すために使用されてもよい。ロケーションエリアは、ＬＴＥネットワークのトラッキングエリア（Tracking Area, TA）の概念に類似しており、１つまたは複数のセルを含んでもよい。ロケーションエリアに含まれるセルは、いくつかのステーションによって管理されてもよく、異なるステーションによって管理されてもよい。セルが異なるステーションによって管理される場合、異なるステーションは同じ規格または異なる規格であってもよい。具体的には、ロケーションエリアは、例えばＬＴＥセルのみといった規格のいくつかのセルを含んでもよく、あるいはＬＴＥセルとＮＲセルなどの様々なセルの種類を含む、異なる規格のセルを含んでもよい。
【００５５】
同じロケーションエリアにあるセルは、同じロケーションエリア識別情報を使用することによって識別される。ロケーションエリア識別リストは、１つまたは複数のロケーションエリア識別情報を含んでもよい。ロケーションエリア識別リストは、１つまたは複数のロケーションエリアを示してもよく、ＵＥはロケーションエリアのうちの１つに配置される。
【００５６】
任意選択的に、ロケーションエリア識別情報は、公衆陸上移動ネットワークＩＤ（public land mobile network identity, PLMN ID）および移動エリアコード（Moving Area Code、 MAC）を含むか、あるいは、別の形態であってもよい。これは、本発明のこの実施形態において限定されない。
【００５７】
任意選択的に、本発明の実施形態において、ステップＳ２０２のロケーションエリアは少なくとも２つのセルを含み、２つのセルは異なるＲＡＴを使用する。
【００５８】
図１に示すアクセスネットワーク制御デバイスのアーキテクチャは、一例として使用される。ＮＲステーションとＷＬＡＮ  ＡＰの両方は、ＬＴＥステーションのＴＡ分割方法を使用する。具体的には、ＴＡ分割は、ＬＴＥ、ＮＲ、またはＷＬＡＮなどの規格間の区別をせず、同じ地理的領域にあるＬＴＥセル、ＮＲセル、またはＷＬＡＮセルはすべて同じＴＡＩで構成され、ＴＡを構成する。特定のＴＡ分割方法について、図１−１の概略図を参照されたい。前述の地理的領域の範囲は、システムによって予め設定されてもよい。具体的には、システムは１つ又は複数の地理的領域を事前に決定し、各地理的領域は１つまたは複数のセルを含み、１つまたは複数のセルはＴＡを構成する。この実施形態において、異なるＲＡＴを使用するセルは、統合ロケーションエリア分割方法を使用することが理解されよう。前述のＴＡ分割方法は単に一例であり、限定を構成するものではない。
【００５９】
任意選択的に、本発明の別の実施形態において、ステップＳ２０２は、特に、
アクセスネットワーク制御デバイスによって、ロケーションエリア要求メッセージに基づいてＵＥのための第１ロケーションエリア識別リストと第２ロケーションエリア識別リストを設定するステップを含み、
第１ロケーションエリア識別リストの任意のロケーションエリア識別情報によって識別されるロケーションエリア内に含まれる全てのセルは第１のＲＡＴを使用し、第２ロケーションエリア識別リストの任意のロケーションエリア識別情報によって識別されるロケーションエリア内に含まれる全てのセルは第２のＲＡＴを使用し、第１のＲＡＴは第２のＲＡＴとは異なる。
【００６０】
図１に示すアクセスネットワーク制御デバイスのアーキテクチャがまだ、一例として使用される。アクセスネットワーク制御デバイスは、ｅＮＢ、ＮＲステーション、およびＷＬＡＮ  ＡＰなどの様々な規格のステーションを管理し、ステーションの各規格のセルをロケーションエリアに別々に分けてもよい。具体的には、ＬＴＥステーションの信号カバレッジエリアは、１つ又は複数のＴＡに分割されてもよく、各ＴＡはＴＡＩを使用することによって識別される。１つのＴＡ内のＬＴＥセルは、全て同じＴＡＩで構成され、ＴＡＩは各セル内でブロードキャストされる。ＮＲステーションの信号カバレッジエリアは、１つまたは複数の移動エリア（Moving Area, MA）に分割され、各ＭＡはＭＡＩを使用することによって識別される。１つのＭＡ内のＮＲは、全て同じＭＡＩで構成され、ＭＡＩはＮＲステーションによってブロードキャストされる。ＷＬＡＮ  ＡＰの信号カバレッジエリアは、複数のサービングエリア（Serving Area, SA）に分割され、各ＳＡはＳＡＩを使用することによって識別される。１つのＳＡ内のＷＬＡＮセルは、全て同じＳＡＩで構成され、ＳＡＩはブロードキャストされる。特定のロケーションエリア分割方法については、図１−２を参照されたい。この実施形態において、ロケーションエリア分割はセルの規格に基づいて実行され、異なる規格に対応する複数のロケーションエリア識別リストを構成することが理解されよう。
【００６１】
本発明のこの実施形態における移動管理方法によると、様々な規格のステーションを管理するアクセスネットワーク制御デバイスは、ＵＥのためのロケーションエリア識別リストを設定することをコアネットワークに要求するための、ロケーションエリア要求メッセージをコアネットワークに報告する代わりに、ＵＥのロケーションエリア要求メッセージに基づいてＵＥのためのロケーションエリア識別リストを設定する。このようにして、アクセスネットワーク側でのＵＥの移動管理が実装され、アクセスネットワーク側とコアネットワーク側の間のシグナリング相互作用が低減され、インタフェースシグナリング負荷が低減され、それによってシグナリング応答速度が向上し、システム性能が向上する。
【００６２】
図３は、本発明の一実施形態に従ったアタッチ方法の概略的なシグナリングフローチャートである。図３に示す実施形態は、図２に示す実施形態のさらなる説明である。
【００６３】
わかりやすくするために、図３から５に示す実施形態において、アクセスネットワーク制御デバイスは３つのステーション、つまり、異なるＲＡＴを使用するｅＮＢ、ＮＲステーション、ＷＬＡＮ  ＡＰを管理し、ＵＥはＮＲステーションのセル内に位置し、ＮＲステーションを介してネットワークにアクセスすると仮定する。アクセスネットワーク制御デバイスによって管理されるステーションのタイプと数は、本発明のこれらの実施形態において限定されないことが理解されよう。
【００６４】
さらに、図３から図５に示す実施形態において、異なるRATを使用するセルが同じロケーションエリア識別リストに対応すると仮定する。具体的には、異なるＲＡＴを使用するセルは、統合ロケーションエリア分割方法を使用する。
【００６５】
方法は、ステップＳ３０１からＳ３０７を含む。
【００６６】
Ｓ３０１：ＵＥはアタッチ要求メッセージをＮＲステーションに送信する。
【００６７】
特に、ネットワークサービスを取得するために、ＵＥは最初にネットワーク側で登録を完了する必要がある。従って、ＵＥはアタッチ要求メッセージをＮＲステーションに送信する。アタッチ要求メッセージは、少なくとも、ＵＥの識別情報と、ＵＥがアタッチ要求を開始した時の、ＵＥが位置するセルのロケーションエリア識別情報とを含む。
【００６８】
ＵＥの識別情報は、特に一時移動加入者識別番号（temporary mobile subscriber identity, TMSI）、国際移動加入者識別番号（international mobile subscriber identity, IMSI）、または別の類似の識別情報であってもよい。これは、本発明のこの実施形態において特に限定されない。
【００６９】
Ｓ３０２：ＮＲステーションはアタッチ要求メッセージをアクセスネットワーク制御デバイスに送信する。
【００７０】
アタッチ要求メッセージを受信した後、ＮＥステーションは、アクセスネットワーク制御デバイスにメッセージを転送する。この転送プロセスにおいて、ＮＲステーションは、アタッチ要求メッセージだけをアクセスネットワーク制御デバイスに転送し、アタッチ要求メッセージの関連する情報要素を解析しない。
【００７１】
Ｓ３０３：アクセスネットワーク制御デバイスは登録要求メッセージをコアネットワークデバイスに送信する。
【００７２】
ＮＲステーションによって送信されたアタッチ要求メッセージを受信した後、アクセスネットワーク制御デバイスは、アタッチ要求メッセージを解析し、ＵＥのための登録要求メッセージをコアネットワークデバイスに送信し、コアネットワークデバイスにＵＥのための登録を完了するように要求する。このようにして、コアネットワークデバイスは、アクセスネットワーク制御デバイスによって管理され、ＵＥが位置する範囲を知ることができる。
【００７３】
特定のタイプのコアネットワークデバイスは、本発明のこの実施形態において特に限定されず、モビリティ管理エンティティ（mobility management entity, MME）デバイスに類似の単一のコアネットワークデバイスであってもよく、複数のコアネットワークデバイスの組み合わせでもよい。
【００７４】
Ｓ３０４：コアネットワークデバイスは登録要求応答メッセージでアクセスネットワーク制御デバイスに応答する。
【００７５】
ＵＥのための登録が完了した後、コアネットワークデバイスは、登録要求応答メッセージでアクセスネットワーク制御デバイスに応答する。
【００７６】
Ｓ３０５：アクセスネットワーク制御デバイスはＵＥのためのロケーションエリア識別リストを設定する。
【００７７】
コアネットワークデバイスによって送信された登録要求応答メッセージを受信した後、アクセスネットワーク制御デバイスは、ＵＥのためのロケーションエリア識別リストを設定する。アクセスネットワーク制御デバイスは、ＵＥが現在位置しているセルの報告されたロケーションエリア識別情報に基づいて、ＵＥのためのロケーションエリア識別リストを設定してもよい。ロケーションエリア識別リストの詳細な説明については、図２に示した実施形態の関連する説明を参照し、ここでは再度詳細な説明はしない。
【００７８】
Ｓ３０６：アクセスネットワーク制御デバイスはロケーションエリア識別リストを含むアタッチ要求メッセージをＮＲステーションに送信する。
【００７９】
Ｓ３０７：ＮＲステーションはアタッチ要求応答メッセージをＵＥに送信する。
【００８０】
アクセスネットワーク制御デバイスによって送信されたアタッチ要求応答メッセージを受信した後、ＮＲステーションは、アタッチ要求応答メッセージをＵＥに転送する。
【００８１】
アタッチプロセスにおいて、アクセスネットワーク制御デバイスは、ＵＥのための登録を完了するために、コアネットワークデバイスに登録要求を送信し、ＵＥのためのロケーションエリア識別リストを設定する責任がある。ＵＥはアクセスネットワーク制御デバイスによって設定されたＵＥのためのロケーションエリア識別リストを取得することができる。ロケーションエリア識別リストに対応するＬＴＥセル、ＮＲセル、およびＷＬＡＮセルにおいて、アイドル状態にあるＵＥが移動するとき、更新を開始する必要はない。
【００８２】
任意選択的に、本発明の別の実施形態において、ＵＥが登録を完了した後、ＵＥのダウンリンクサービスが送信される必要がある場合、ネットワーク側がページングプロセスを開始してもよい。これに対応して、方法はさらにステップＳ３０８からＳ３０１０を含む。
【００８３】
Ｓ３０８：コアネットワークデバイスは、ＵＥとアクセスネットワーク制御デバイスとの間のマッピング関係に基づいて、アクセスネットワーク制御デバイスにページングメッセージを送信する。ページングメッセージは、ターゲットＵＥにページングを実行するようにアクセスネットワーク制御デバイスに命令するために使用される。
【００８４】
特に、コアネットワークデバイスは識別マッピングリストを整備してもよい。識別マッピングリストは、ＵＥの識別情報と無線アクセスネットワークサーバの識別情報との間のマッピング関係を示す。コアネットワークデバイスは、ＵＥの識別情報に基づいて、ＵＥに対応するアクセスネットワーク制御デバイスを見つけてもよく、それによってページングメッセージをアクセスネットワーク制御デバイスに送信する。
【００８５】
Ｓ３０９：アクセスネットワーク制御デバイスはページングメッセージを対応するステーションに送信する。
【００８６】
コアネットワークデバイスによって送信されたページングメッセージを受信した後、アクセスネットワーク制御デバイスは、ＵＥのために設定されたロケーションエリア識別リストに基づいて、ロケーションエリア識別リストに対応するステーションにページングメッセージを送信する。ステーションは様々な規格のステーションを含んでもよい。ページングメッセージは、無線インタフェースを使用することによって、ＵＥにページングを実行するようにステーションに命令するために使用される。
【００８７】
Ｓ３０１０：各ステーションは無線インタフェースを使用することによってＵＥに対してページングを開始する。
【００８８】
アクセスネットワーク制御デバイスによって送信されたページングメッセージを受信した後、各ステーションは、ロケーションエリア識別リストに基づいて、ステーションによって管理されたセル内のＵＥにページングを実行する。セルは、ロケーションエリア識別リストのロケーションエリア識別情報を使用する。
【００８９】
前述のページング方法によると、コアネットワークによって決定されたアクセスネットワーク制御デバイスは、ページングを実行するために、ロケーションエリア識別リストに基づいて、対応するステーションを検索する。コアネットワークデバイスは、各ステーションをページングする必要がなく、ページングプロセスにおけるコアネットワーク側のシグナリング負荷を低減する。
【００９０】
任意選択的に、本発明の別の実施形態において、アクセスネットワーク制御デバイスは、ＵＥのための複数のロケーションエリア識別リストを設定してもよく、各リストはＲＡＴを使用するセルに対応する。例えば、アクセスネットワーク制御デバイスは、ＵＥのためのＴＡＩリスト、ＭＡＩリスト、およびＳＡＩリストを同時に設定する。詳細は、図２に示す実施形態の関連する説明を参照されたい。アクセスネットワーク制御デバイスは、アタッチプロセスおよびその後のロケーションエリア更新プロセスにおいて、ＵＥのために異なる規格のセルを表すロケーションエリア識別情報を同時に設定する。
【００９１】
任意選択的に、ロケーションエリア更新要求メッセージを送信したとき、ＵＥはロケーションエリア識別リストの一部または全てを更新するようにアクセスネットワーク制御デバイスに要求してもよい。あるいは、アクセスネットワーク制御デバイスは、ＵＥの現在のロケーション情報に基づいて、ＵＥのためのロケーションエリア識別リストの一部または全てを更新することを決定してもよい。
【００９２】
アイドル状態にあるＵＥがアクセスネットワーク制御デバイスによって管理される範囲内を移動し、設定されたロケーションエリア識別リストに対応するセルの元の範囲を超えた場合、ＵＥはロケーションエリア更新プロセスを開始し、ＵＥが現在キャンプしているセルに対応するロケーションエリア識別リストを取得する。
【００９３】
図４は、本発明の一実施形態に従ったロケーションエリア更新方法の概略的なシグナリングフローチャートである。ロケーションエリア更新方法は、ステップＳ４０１からＳ４０５を含む。
【００９４】
この実施形態は、アイドル状態にあるＵＥがロケーションエリア識別リストに対応するセルの範囲外のＬＴＥセルに入る例を用いて説明される。ＬＴＥセルは、アクセスネットワーク制御デバイスのカバレッジエリアに位置し、ＬＴＥはアクセスネットワーク制御デバイスによって管理される。
【００９５】
Ｓ４０１：ＵＥはロケーションエリア更新要求メッセージをｅＮＢに送信する。
【００９６】
ロケーションエリア更新要求メッセージは、ロケーションエリアの更新を要求するためにＵＥによって使用される。アイドル状態にあるＵＥがＬＴＥセルに入り、ＵＥが、ＬＴＥセルのロケーションエリア識別情報がＵＥの現在設定されたロケーションエリア識別リストに属さないことを検出した場合、ＵＥはロケーションエリア更新プロセスを開始し、最初にロケーションエリア更新要求メッセージを、ＬＴＥセルを管理するｅＮＢに送信する。ロケーションエリア更新要求メッセージの具体的な内容およびフォーマットについては、ＬＴＥシステムで使用されるトラッキングエリア更新（tracking area update, TAU）要求メッセージを参照されたい。詳細はここでは説明しない。
【００９７】
Ｓ４０２：ｅＮＢはロケーションエリア更新要求メッセージをアクセスネットワーク制御デバイスに送信する。
【００９８】
ＵＥによって送信されたロケーションエリア更新要求メッセージを受信した後、ｅＮＢはロケーションエリア更新要求メッセージをアクセスネットワーク制御デバイスに転送する。
【００９９】
Ｓ４０３：アクセスネットワーク制御デバイスはＵＥのロケーションエリア識別リストを更新する。
【０１００】
ｅＮＢによって送信されたロケーションエリア更新要求メッセージを受信した後、アクセスネットワーク制御デバイスはＵＥのための新しいロケーションエリア識別リストを設定する。特に、アクセスネットワーク制御デバイスは、現在のセルであり、かつＵＥによって報告される、ロケーションエリア識別情報に基づいてＵＥのためにロケーションエリア識別リストを設定してもよい。ロケーションエリア識別リストの詳細な説明については、図２に示す実施形態の関連する説明を参照し、ここでは再度詳細な説明はしない。
【０１０１】
Ｓ４０４：アクセスネットワーク制御デバイスは更新されたロケーションエリア識別リストを含むロケーションエリア更新要求応答メッセージをｅＮＢに送信する。
【０１０２】
Ｓ４０５：ｅＮＢはロケーションエリア更新要求応答メッセージをＵＥに送信する。
【０１０３】
アクセスネットワーク制御デバイスによって送信されたロケーションエリア更新要求応答メッセージを受信した後、ｅＮＢは応答メッセージを解析しないが、ロケーションエリア更新要求応答メッセージをＵＥに転送する。
【０１０４】
前述の方法は、図２に示した実施形態において提供される方法に基づいて実装されてもよいことに留意されたい。例えば、ステップＳ４０１からＳ４０５は、ステップＳ２０１からＳ２０３の後に実行される。これは限定されない。
【０１０５】
前述のロケーションエリア更新プロセスにおいて、ＵＥはアクセスネットワーク制御デバイスのカバレッジエリア内を移動する。アクセスネットワーク制御デバイスは、アイドル状態にあるＵＥのためのロケーションエリア識別リストを更新する責任がある。アクセスネットワーク制御デバイスは、コアネットワークデバイスにＵＥの移動を通知する必要はない。コアネットワークデバイスは、ＵＥがアクセスネットワーク制御デバイスのカバレッジエリアにいることを知るだけでよい。つまり、コアネットワーク側とアクセスネットワーク側はプロセスにおいてシグナリング相互作用を実行する必要はない。任意選択的に、アクセスネットワーク制御デバイスは、コアネットワークデバイスに指示メッセージを送信して、ＵＥがアクセスネットワーク制御デバイスのカバレッジエリアにいることをコアネットワークデバイスに通知してもよい。指示情報はＵＥの識別情報を含む。
【０１０６】
本発明の別の実施形態において、アイドル状態にあるＵＥの移動範囲が拡大する。例えば、ＵＥはＮＲセルに入るが、ＮＲセルはＵＥによって以前に取得されたロケーションエリア識別リストに対応するセルに属しておらず、ＮＲセルは別のアクセスネットワーク制御デバイスのカバレッジセル内にあり、ＵＥがロケーションエリア更新プロセスを開始するとき、シグナリングフローは図５に示され、ステップＳ５０１からＳ５０８を含む。
【０１０７】
Ｓ５０１：ＵＥはロケーションエリア更新要求メッセージをＮＲステーションに送信する。
【０１０８】
特に、ＵＥはＮＲセルが属するＮＲステーションにロケーションエリア更新要求メッセージを送信する。
【０１０９】
Ｓ５０２：ＮＲステーションはロケーションエリア更新要求メッセージをアクセスネットワーク制御デバイスに送信する。
【０１１０】
Ｓ５０１とＳ５０２はアクセスネットワーク制御デバイスの移動によってトリガされるロケーションエリア更新プロセスと同じであってもよく、ここでは再度詳細は説明しない。
【０１１１】
本実施形態において、ＵＥのロケーションエリア更新要求メッセージを受信するアクセスネットワーク制御デバイスは、ＵＥが現在位置するＮＲセルが属するＮＲステーションを管理するアクセスネットワーク制御デバイスである。すなわち、ＵＥは現在アクセスネットワーク制御デバイスのカバレッジエリアに位置する。
【０１１２】
Ｓ５０３：アクセスネットワーク制御デバイスはコアネットワークデバイスに更新指示メッセージを送信する。
【０１１３】
アイドル状態にあるＵＥは、別のアクセスネットワーク制御デバイスのカバレッジエリアから転出し、初めてアクセスネットワーク制御デバイスのカバレッジエリアに入る。従って、ＵＥによって送信されたロケーションエリア更新要求メッセージを受信した後、アクセスネットワーク制御デバイスはコアネットワークデバイスに更新指示を送信し、コアネットワークデバイスにＵＥと関連するアクセスネットワーク制御デバイスを更新するように命令する必要がある。更新指示は少なくともＵＥの識別情報を含む。
【０１１４】
Ｓ５０４：コアネットワークデバイスはＵＥと関連するアクセスネットワーク制御デバイスを更新する。
【０１１５】
特に、コアネットワークデバイスは識別マッピングリストを整備してもよい。識別マッピングリストは、ＵＥの識別情報と無線アクセスネットワークサーバの識別情報との間のマッピング関係を示す。コアネットワークデバイスは、ＵＥの識別情報に基づいて、ＵＥの識別情報にマッピングされ、かつ識別マッピングリストにある、無線アクセスネットワークサーバの識別情報を、ＲＡＮサーバの識別情報に更新する。
【０１１６】
アクセスネットワーク制御デバイスはＵＥに移動管理を実行し、ＵＥがアクセスネットワーク制御デバイスを横切って移動するときにのみ、対応関係を更新するためにコアネットワークデバイスに通知し、アクセスネットワーク側とコアネットワーク側との間のシグナリング相互作用を低減し、インタフェースシグナリング負荷を低減し、それによってシグナリング応答速度を向上し、システム性能を向上する。
【０１１７】
Ｓ５０５：コアネットワークデバイスは更新応答メッセージでアクセスネットワーク制御デバイスに応答する。
【０１１８】
Ｓ５０５は、任意選択のステップである。
【０１１９】
Ｓ５０６：アクセスネットワーク制御デバイスはＵＥのロケーションエリア識別リストを更新する。
【０１２０】
Ｓ５０７：アクセスネットワーク制御デバイスは更新されたロケーションエリア識別リストを含むロケーションエリア更新要求応答メッセージをｅＮＢに送信する。
【０１２１】
Ｓ５０８：ｅＮＢはロケーションエリア更新要求応答メッセージをＵＥに送信する。
【０１２２】
ステップＳ５０６からＳ５０８はＳ４０３からＳ４０５と類似している。図４で示された実施形態を含む本発明の別の実施形態において関連する説明を参照されたい。ここでは詳細は再度説明しない。
【０１２３】
この実施形態において、アイドル状態にあるＵＥは新しいセルに移動する。セルは、ＵＥによって以前に設定されたロケーションエリア識別リストの範囲内にはなく、およびセルはＵＥのためのロケーションエリア識別リストを設定するアクセスネットワーク制御デバイス内に無い。この場合、ＵＥによって開始されたロケーションエリア更新プロセスにおいて、アクセスネットワーク制御デバイスはコアネットワークデバイスへの更新プロセスを開始する必要がある。コアネットワークデバイスはＵＥに対応するアクセスネットワーク制御デバイスを更新する。アクセスネットワーク制御デバイスはＵＥのための新しいロケーションエリア識別リストを設定する責任がある。
【０１２４】
任意選択的に、本発明の別の実施形態において、方法はさらに以下を含む。
【０１２５】
ステップＳ５０９：コアネットワークデバイスはソースアクセスネットワーク制御デバイスにリリース命令を送信し、ソースアクセスネットワーク制御デバイスがＵＥのコンテキストをリリースするように命令する。
【０１２６】
ソースアクセスネットワーク制御デバイスは、ＵＥがアクセスネットワーク制御デバイスのカバレッジエリアに入る前に関連するアクセスネットワーク制御デバイスである。具体的には、ＵＥが移動する前に、ＵＥはソースアクセスネットワーク制御デバイスのカバレッジエリアに位置し、ソースアクセスネットワーク制御デバイスによって提供される通信サービスを取得する。また、前述のロケーションエリア更新プロセスが完了する前に、コアネットワークデバイスの識別マッピングリストには、ＵＥとソースサーバとの間のマッピング関係がある。
【０１２７】
任意選択的に、本発明の別の実施形態において、アクセスネットワーク制御デバイスはリリース命令をソースアクセスネットワーク制御デバイスに送信してもよい。具体的には、ＵＥが現在キャンプしているセルのアクセスネットワーク制御デバイスは、ソースアクセスネットワーク制御デバイスにＵＥのコンテキストをリリースするように命令する。
【０１２８】
ソースアクセスネットワーク制御デバイス上のＵＥのコンテキストが解放され、そうすることによってソースアクセスネットワーク制御デバイスのリソースがリリースされてもよい。さらに、ＵＥがその後ソースアクセスネットワーク制御デバイスのセルに再度移動するとき、ソースアクセスネットワーク制御デバイスはＵＥが初めてセルに入るとみなし、コアネットワークデバイスに通知する必要がある。コアネットワークデバイスは、ＵＥに関連するアクセスネットワーク制御デバイスをソースアクセスネットワーク制御デバイスに更新する。
【０１２９】
図６は、本発明の一実施形態に従った、アクセスネットワーク制御デバイスの概略構成図である。アクセスネットワーク制御デバイスは、図２から図５に示す実施形態におけるアクセスネットワーク制御デバイスのステップを実行するのに適合されてもよい。
【０１３０】
特に、アクセスネットワーク制御デバイスは、以下のユニットを含む。
【０１３１】
第１受信ユニット６０１は、第１ステーションを介してユーザ装置ＵＥのロケーションエリア要求メッセージを受信するのに適合され、ＵＥは第１ステーションによって管理されたセル内に位置する。
【０１３２】
特に、第１受信ユニット６０１は、第１ステーションによって転送されたＵＥのロケーションエリア要求メッセージを受信してもよい。
【０１３３】
処理ユニット６０２は、ロケーションエリア要求メッセージに基づいて、ＵＥのための少なくとも１つのロケーションエリア識別リストを設定するのに適合され、ロケーションエリア識別リストは、少なくとも１つのロケーションエリア識別情報を含み、ロケーションエリア識別情報はロケーションエリアを識別するために使用される。
【０１３４】
ロケーションエリアは少なくとも１つのセルを含む。アクセスネットワーク制御デバイスは、少なくとも１つのセルのステーションに上位レイヤプロトコルサービスを提供する。図２に示す実施形態の関連する説明を参照されたい。
【０１３５】
任意選択的に、本発明の実施形態において、ロケーションエリアは少なくとも２つのセルを含み、少なくとも２つのセルは異なるＲＡＴを使用する。
【０１３６】
この実施形態において、異なるＲＡＴを使用するセル、すなわち、異なる規格のセルは、同一のロケーションエリア識別リスト内のロケーションエリア識別情報を使用することによって表される。具体的な説明については、本発明の方法の実施形態の関連する説明を参照し、ここでは詳細は再度説明しない。
【０１３７】
任意選択的に、本発明の一実施形態において、処理ユニット６０２は、ロケーションエリア要求メッセージに基づいて、ＵＥのための第１ロケーションエリア識別リストと第２ロケーションエリア識別リストを設定するように特に適合される。
【０１３８】
この実施形態において、１つのロケーションエリア識別リストは、セルの１つの規格に対応する。ロケーションエリア識別リストの数は、アクセスネットワーク制御デバイスに対応するＲＡＴの数と同じである。具体的な説明については、本発明の方法の実施形態の関連する内容を参照し、ここでは詳細は再度説明しない。
【０１３９】
第１送信ユニット６０３は、第１ステーションを介して少なくとも１つのロケーションエリア識別リストをＵＥに送信するように適合される。
【０１４０】
特に、第１送信ユニット６０３は、ＵＥのために設定されたロケーションエリア識別リストを第１ステーションに送信し、第１ステーションはロケーションエリア識別リストをＵＥに転送する。
【０１４１】
本発明のこの実施形態において開示されたデバイスによると、アクセスネットワーク制御デバイスは、ＵＥに移動管理を実行し、アクセスネットワーク側とコアネットワーク側のシグナリング相互作用を低減し、インタフェースシグナリング負荷を低減し、それによってシグナリング応答速度が向上し、システム性能が向上する。
【０１４２】
任意選択的に、本発明の一実施形態において、ロケーションエリア要求メッセージはアタッチ要求メッセージである。アクセスネットワーク制御デバイスのカバレッジエリアに入った後、ＵＥはアタッチプロセスを開始し、登録を完了する。
【０１４３】
この実施形態において、デバイスは第１受信ユニットによって受信されたアタッチ要求メッセージに基づいて登録要求メッセージをコアネットワークデバイスに送信するのに適合した第２送信ユニット６０４をさらに含む。
【０１４４】
アクセスネットワーク制御デバイスは、コアネットワークデバイスによって送信された登録要求応答メッセージを受信するのに適合した第２受信ユニット６０５をさらに含む。
【０１４５】
処理ユニット６０２は特に、第２受信ユニットがコアネットワークデバイスによって送信された登録要求応答メッセージを受信した後、ＵＥのための少なくとも１つのロケーションエリア識別リストを設定するのに適合される。
【０１４６】
第１送信ユニット６０３は、第１ステーションを介して、少なくとも１つのロケーションエリア識別リストを含むアタッチ要求応答メッセージをＵＥに送信するのに特に適合される。
【０１４７】
アタッチプロセスの詳細な説明とアタッチプロセスにおける前述のユニットの機能の詳細な説明については、本発明の方法の実施形態、たとえば図３に示す実施形態の関連するステップの説明を参照し、ここでは詳細は再度説明しない。
【０１４８】
任意選択的に、ＵＥがアタッチプロセスを完了した後、ＵＥのダウンリンクサービスが送信される必要がある場合、ネットワーク側はページングプロセスを開始してもよい。これに対応して、第２受信ユニット６０５はコアネットワークデバイスによって送信された第１ページングメッセージ受信するのにさらに適合される。第１ページングメッセージは、アクセスネットワークサーバにＵＥにページングを実行するように命令するために使用される。
【０１４９】
第１送信ユニット６０３は、ＵＥのために設定されたロケーションエリア識別リストに対応するステーションに第２ページングメッセージを送信するのにさらに適合され、第２ページングメッセージは、ステーションにＵＥにページングを実行するように命令するために使用される。
【０１５０】
コアネットワークによって決定されたアクセスネットワーク制御デバイスは、ロケーションエリア識別リストに基づいて、対応するステーションを検索し、ページングを実行する。コアネットワークデバイスは、各ステーションにページングする必要がなく、ページングプロセスにおけるコアネットワーク側のシグナリング負荷を低減する。
【０１５１】
任意選択的に、本発明の別の実施形態において、第１受信ユニット６０１は、ロケーションエリア更新要求メッセージを受信するのにさらに適合される。ロケーションエリア更新要求メッセージは、ロケーションエリアの更新を要求するためにＵＥによって使用される。ＵＥの移動中に、ＵＥが元々設定されたロケーションエリア識別リストに対応するセルを離れるとき、ＵＥはロケーションエリア更新要求プロセスを開始し、ＵＥが現在キャンプしているセルに対応するロケーションエリア識別リストを取得する。
【０１５２】
この実施形態において、処理ユニット６０２は、ロケーションエリア更新要求メッセージに基づいて、ＵＥのロケーションエリア識別リストを更新するのにさらに適合される。
【０１５３】
第１送信ユニット６０３は、第１ステーションを介して、更新されたロケーションエリア識別リストを含むロケーションエリア更新要求応答メッセージをＵＥに送信するのに特に適合される。
【０１５４】
任意選択的に、本発明の別の実施形態において、ＵＥがソースアクセスネットワーク制御デバイスのカバレッジエリアを離れ、アクセスネットワーク制御デバイスのカバレッジエリアに移動するとき、アクセスネットワーク制御デバイスは、コアネットワークに更新プロセスを開始し、コアネットワークに、ＵＥと関連するアクセスネットワーク制御デバイスを更新するように命令する必要がある。
【０１５５】
この実施形態において、アクセスネットワーク制御デバイスは、第２送信ユニット６０４をさらに含み、第２送信ユニット６０４は、処理ユニット６０２がロケーションエリア更新要求メッセージに基づいてＵＥのロケーションエリア識別リストを更新する前に、更新指示をコアネットワークデバイスに送信するのに適合し、更新指示は、コアネットワークデバイスにＵＥと関連するアクセスネットワーク制御デバイスをアクセスネットワーク制御デバイスに更新するように命令するために使用される。
【０１５６】
任意選択的に、更新指示はUEの識別情報を含む。
【０１５７】
図６に示すように、第１受信ユニット６０１、処理ユニット６０２、第１送信ユニット６０３、第２送信ユニット６０４、および第２受信ユニット６０５は、バスを使用することによって接続されてもよいが、バスは図６には図示しない。前述のユニットは、直接通信または間接通信を実装するための別の方法で代わりに接続されてもよい。これはここでは特に限定されない。
【０１５８】
本発明の別の実施形態において、ハードウェアの実装のために、受信ユニット６０１と６０５の機能が受信機によって実行されてもよく、送信ユニット６０３と６０４の機能が送信機によって実行されてもよい。あるいは、前述の受信ユニットと送信ユニットの機能は、送受信機または通信モジュールによって実装されてもよい。処理ユニット６０２は、ハードウェア形式で基地局のプロセッサ内に埋め込まれるか、独立していてもよく、あるいはソフトウェア形式で基地局のメモリに格納されてもよく、そうすることによって、プロセッサは前述のモジュールに対応する動作を呼び出して実行する。
【０１５９】
ロケーションエリア更新プロセスの詳細な説明とロケーションエリア更新プロセスにおける前述のユニットの機能の詳細な説明については、本発明の方法の実施形態、たとえば図４と図５に示す実施形態の関連するステップの説明を参照し、ここでは詳細は再度説明しない。
【０１６０】
図７は、本発明の一実施形態に従ったアクセスネットワーク制御デバイスの可能な概略構成図である。
【０１６１】
図７に示すように、アクセスネットワーク制御デバイスは、第１送受信機７０１、第２送受信機７０２、およびプロセッサ７０３を含んでもよい。図はさらに、メモリ１５０４とバス７０５を示す。第１送受信機７０１、第２送受信機７０２、プロセッサ７０３、およびメモリ７０４は、バス７０５を使用することによって接続され、バス７０５を介して互いに通信する。
【０１６２】
第１送受信機７０１は、通信インタフェースであってもよい。通信インタフェースは、アクセスネットワーク制御デバイスによって管理されるステーションの対応する通信インタフェースに直接的または間接的に接続されてもよく、アクセスネットワーク制御デバイスとステーション間の情報交換のために使用される。
【０１６３】
第２送受信機７０２は、通信インタフェースであってもよい。通信インタフェースは、コアネットワークデバイスの対応する通信インタフェースに直接的または間接的に接続されてもよく、アクセスネットワーク制御デバイスとコアネットワークとの間の情報交換のために使用される。
【０１６４】
プロセッサ７０３は、図２から図５に示す方法の実施形態で説明されたアクセスネットワーク制御デバイスの処理プロセスを実行するように適合されてもよく、および／または本出願において記載された技術の別のプロセスを実行するのに適合されてもよい。
【０１６５】
メモリ７０４は、実行可能プログラムコードまたはデータを格納するように適合される。プログラムコードは、コンピュータ動作命令を含む。メモリ７０４に格納されたプログラムコードは、プロセッサ７０３によって実行されてもよい。
【０１６６】
この実施形態におけるアクセスネットワーク制御デバイスによって実行される方法プロセスの説明とデバイス内の各装置とコンポーネントの具体的な機能については、本発明の別の実施形態における関連する内容を参照し、ここでは再度詳細な説明はしない。
【０１６７】
図７は、アクセスネットワーク制御デバイスの単純化された設計だけを示すことが理解されよう。実際のアプリケーションでは、アクセスネットワーク制御デバイスは、任意の数の送受信機、プロセッサ、コントローラ、メモリ、通信ユニットなどを含んでもよい。
【０１６８】
本発明のこの実施形態におけるアクセスネットワーク制御デバイスは、ＣＵまたはＲＡＮサーバと呼ばれてもよい。本発明のこの実施形態におけるアクセスネットワーク制御デバイスの機能を実装することができるすべてのデバイスは、本発明の保護範囲に入る。
【０１６９】
図８は、本発明の一実施形態に従ったコアネットワークデバイスの概略構成図である。コアネットワークデバイスは、図２から図５に示す方法の実施形態で説明されるコアネットワークデバイスの処理プロセスを実行するように適合されてもよく、および／または本出願において記載された技術の別のプロセスを実行するのに適合されてもよい。
【０１７０】
コアネットワークデバイスは、アクセスネットワーク制御デバイスによって送信された更新指示を受信するのに適合された受信ユニット８０１を含み、更新指示はＵＥの識別情報を含み、ＵＥはアクセスネットワーク制御デバイスによって管理されるセル内に位置する。
【０１７１】
コアネットワークデバイスは、ＵＥの識別情報に基づいて、ＵＥと関連するアクセスネットワーク制御デバイスをアクセスネットワーク制御デバイスに更新するのに適合された処理ユニット８０２を含む。
【０１７２】
特に、ＵＥがソースアクセスネットワーク制御デバイスのカバレッジエリアからターゲットアクセスネットワーク制御デバイスのカバレッジエリアに入り、ロケーションエリア更新プロセスを開始するとき、ターゲットアクセスネットワーク制御デバイスは接続されたコアネットワークデバイスに更新メッセージを送信し、コアネットワークデバイスに、ＵＥと関連するアクセスネットワークデバイスを、ソースアクセスネットワークデバイスからターゲットアクセスネットワークデバイスに更新するように要求する。
【０１７３】
本発明のこの実施形態において説明されるデバイスによると、アクセスネットワーク制御デバイスは、ＵＥに移動管理を実行し、ＵＥがアクセスネットワーク制御デバイスを横切って移動するときにのみ、対応関係を更新するためにコアネットワークデバイスに通知し、アクセスネットワーク側とコアネットワーク側との間のシグナリング相互作用を低減し、インタフェースシグナリング負荷を低減し、それによってシグナリング応答速度を向上し、システム性能を向上する。
【０１７４】
任意選択的に、処理ユニット８０２は、識別マッピングリストを整備するのにさらに適合される。識別マッピングリストは、ＵＥの識別情報とアクセスネットワーク制御デバイスの識別情報との間のマッピング関係を示す。処理ユニット８０２は、ＵＥの識別情報に基づいて、ＵＥの識別情報にマッピングされ、かつ識別マッピングリストにある、アクセスネットワーク制御デバイスの識別情報を、アクセスネットワーク制御デバイスの識別情報に更新してもよい。
【０１７５】
コアネットワークデバイスがＵＥに関連するアクセスネットワーク制御デバイスを更新する特定のコンテンツについては、本発明の方法の実施形態における関連する説明を参照し、ここでは再度詳細に説明はしない。
【０１７６】
任意選択的に、コアネットワークデバイスは、リリース要求をソースアクセスネットワーク制御デバイスに送信するのに適合された送信ユニット８０３をさらに含む。リリース要求は、ＵＥのコンテキストをリリースするようにソースアクセスネットワーク制御デバイスに命令するために使用される。ソース無線アクセスネットワークサービスは、更新する前のＵＥに関連するアクセスネットワーク制御デバイスである。
【０１７７】
コアネットワークデバイスがソースアクセスネットワークデバイスにＵＥのコンテキストをリリースするように命令する特定のコンテンツについては、本発明の方法の実施形態における関連する説明を参照し、ここでは再度詳細な説明はしない。
【０１７８】
図９は、本発明の一実施形態に従ったコアネットワークデバイスの可能な概略構造図である。
【０１７９】
図９に示すように、コアネットワークデバイスは、送受信機９０１とプロセッサ９０２を含んでもよい。図はさらに、メモリ９０３とバス９０４を示す。送受信機９０１、プロセッサ９０２、およびメモリ９０３は、バス７０４を使用することによって接続され、バス９０４を介して互いに通信する。
【０１８０】
送受信機９０１は通信インタフェースであってもよい。通信インタフェースは、アクセスネットワークデバイスの対応する通信インタフェースに直接または間接的に接続されてもよく、アクセスネットワークとコアネットワークとの間の情報交換に使用される。
【０１８１】
プロセッサ９０２は、図２から図５に示される方法の実施形態において説明されたコアネットワークデバイスの処理プロセスを実行するように適合されてもよく、および／または本出願に記載の技術の別のプロセスを実行するように適合されてもよい。
【０１８２】
メモリ９０３は、実行可能なプログラムコードまたはデータを格納するように適合される。プログラムコードは、コンピュータ操作命令を含む。メモリ９０３に格納されたプログラムコードは、プロセッサ９０２によって実行されてもよい。
【０１８３】
この実施形態のコアネットワークデバイスによって実行される方法処理の説明と、デバイス内の各装置またはコンポーネントの具体的な機能については、本発明の別の実施形態における関連する内容を参照し、ここでは再度詳細な説明はしない。
【０１８４】
コアネットワークデバイスの具体的な種類は、本発明のこの実施形態において特に限定されない。コアネットワークデバイスは、ＭＭＥ、ＳＧＷ、ＰＧＷなど、または複数のコアネットワークデバイスの任意の組み合わせと同様のデバイスであってもよい。
【０１８５】
本発明のこの実施形態において提供されるコアネットワークデバイスに従って
【０１８６】
図１０は、本発明の一実施形態に従った通信システムの概略図である。
【０１８７】
通信システムは、コアネットワークデバイス１００１、アクセスネットワーク制御デバイス１００２、第１ステーション１００３、および第２ステーション１００４を含む。アクセスネットワーク制御デバイス１００２は、コアネットワークデバイス１００１に接続される。第１ステーション１００３および第２ステーション１００４はアクセスネットワーク制御デバイス１００２にそれぞれ接続される。デバイス間の接続方法は、本発明のこの実施形態において特に限定されない。第１ステーション１００３と第２ステーション１００４はそれぞれ異なるＲＡＴ、つまり、異なるステーションの規格を使用する。本発明のこの実施形態において、アクセスネットワーク制御デバイスによって管理されるステーションのタイプおよび数は限定されず、図１０は一例に過ぎないことを理解されたい。
【０１８８】
アクセスネットワーク制御デバイス１００２は、図６または図７で示される実施形態のアクセスネットワーク制御デバイスであってもよく、図２および図３で示される方法の実施形態のアクセスネットワーク制御デバイスによって実行されるステップを実行してもよい。
【０１８９】
コアネットワークデバイス１００１は、図８または図９で示される実施形態の、コアネットワークデバイスであってもよく、図２および図３に示される方法の実施形態の、コアネットワークデバイスによって実行されるステップを実行してもよい。
【０１９０】
本発明のこの実施形態で提供される通信システムによれば
【０１９１】
前述のアクセスネットワーク制御デバイスまたはコアネットワークデバイスの機能を実行するように適合されたプロセッサは、中央処理装置（CPU）、汎用プロセッサ、デジタル信号プロセッサ（DSP）、特定用途向け集積回路（ASIC）、フィールドプログラマブルゲートアレイ（FPGA）、または他のプログラマブル論理デバイス、トランジスタ論理デバイス、ハードウェアコンポーネント、あるいはそれらの任意の組み合わせであってもよいことが理解されよう。プロセッサは、本発明において開示されたコンポーネントを参照して説明された論理ブロック、モジュール、および回路の様々な例を実装および実行してもよい。プロセッサは、演算機能を実装するプロセッサの組み合わせ、例えば、１つまたは複数のマイクロプロセッサの組み合わせ、またはＤＳＰとマイクロプロセッサの組み合わせであってもよい。
【０１９２】
本発明の実施形態におけるバスは、業界標準アーキテクチャ（Industry Standard Architecture, ISA）バス、周辺構成要素相互接続（Peripheral Component, PCI）バス、拡張業界標準アーキテクチャ（Extended Industry Standard Architecture, EISA）バス、等であってもよい。バスは、アドレスバス、データバス、制御バスなどに分類されることができる。表示を容易にするために、バスは図７および図９において一本の太線を用いて示される。しかしながら、これは１つのバスまたはバスの１つのタイプのみが存在することを示すものではない。
【０１９３】
簡便かつ簡単な説明のために、前述のデバイスおよびモジュールの作業プロセスが簡単に説明されることは、当業者には明らかである。具体的な内容については、前述の方法の実施形態における対応するプロセスの説明を参照されたい。
【０１９４】
本出願で提供されるいくつかの実施形態において、開示されたデバイスおよび方法は別の方法で実装されてもよいことを理解されたい。例えば、説明した装置の実施形態は、単なる例に過ぎない。例えば、ユニット分割は論理的な機能分割に過ぎず、実際の実装時には他の分割であってもよい。例えば、複数のユニットまたはコンポーネントは組み合わされてもよく、他のデバイスに統合されてもよく、またはいくつかの機能は無視されてもよく、実行されなくともよい。さらに、本発明の実施形態の機能ユニットは、１つの処理ユニットに統合されてもよく、ユニットのそれぞれは物理的に単独で存在してもよく、あるいは２つ以上のユニットが１つのユニットに統合されてもよい。
【０１９５】
本発明で開示される内容を参照して説明された方法またはアルゴリズムステップは、ハードウェア的に実装されてもよく、あるいはプロセッサによってソフトウェア命令を実行する方法で実装されてもよい。ソフトウェア命令は、対応するソフトウェアモジュールを含んでもよい。ソフトウェアモジュールは、ＲＡＭ、フラッシュメモリ、ＲＯＭ、ＥＰＲＯＭ、ＥＥＰＲＯＭ、レジスタ、ハードディスク、リムーバブルハードディスク、ＣＤ−ＲＯＭ、あるいは当該分野で周知された別の形態の記憶媒体に格納されることができる。一例として使用される記憶媒体はプロセッサに結合され、そうすることによって、プロセッサは記憶媒体から情報を読み取り、記憶媒体に情報を書き込むことができる。もちろん、記憶媒体はプロセッサの一部であってもよい。プロセッサおよび記憶媒体は、ＡＳＩＣ内に配置されてもよい。さらに、ＡＳＩＣはユーザ装置内に配置されてもよい。もちろん、プロセッサおよび記憶媒体は、個別部品としてユーザ装置内に存在してもよい。
【０１９６】
当業者は、上述の例のうち1つ又は複数において、本発明で説明される機能は、ハードウェア、ソフトウェア、ファームウェア、あるいはそれらの任意の組み合わせを使用することによって実装され得ることを理解すべきである。本出願がソフトウェアを使用して実装される場合、これらの機能はコンピュータ可読媒体に格納されてもよく、あるいはコンピュータ可読媒体の１つまたは複数の命令またはコードとして送信されてもよい。コンピュータ可読媒体は、コンピュータ記憶媒体および通信媒体を含み、通信媒体は、コンピュータプログラムがある場所から別の場所へ送信されることを可能にする任意の媒体を含む。記憶媒体は、一般的なまたは専用のコンピュータにアクセス可能な任意の利用可能な媒体であってもよい。
【０１９７】
本発明の目的、技術的解決策、および利益効果は、前述の特定の実施形態においてさらに詳細に説明された。前述の説明は、本発明の特定の実施形態にすぎず、本発明の保護範囲を限定するものではないことを理解されたい。本発明の技術的解決策に基づいてなされた任意の変更、同等の置換、または改良は、本発明の保護範囲内に入るものとする。
【符号の説明】
【０１９８】
６０１  第１受信ユニット
６０２  処理ユニット
６０３  第１送信ユニット
６０４  第２送信ユニット
６０５  第２受信ユニット
７０１  第１送受信機
７０２  第２送受信機
７０３  プロセッサ
７０４  メモリ
８０１  受信ユニット
８０２  処理ユニット
８０３  送信ユニット
９０１  送受信機
９０２  プロセッサ
９０３  メモリ
１００１  コアネットワークデバイス
１００２  アクセスネットワーク制御デバイス
１００３  第１ステーション
１００４  第２ステーション
【図１】
2019515593.tif 000003
【図２】
2019515593.tif 000004
【図３】
2019515593.tif 000005
【図４】
2019515593.tif 000006
【図５】
2019515593.tif 000007
【図６】
2019515593.tif 000008
【図７】
2019515593.tif 000009
【図８】
2019515593.tif 000010
【図９】
2019515593.tif 000011
【図１０】
2019515593.tif 000012
【手続補正書】
【提出日】平成30年12月26日(2018.12.26)
【手続補正１】
【補正対象書類名】明細書
【補正対象項目名】全文
【補正方法】変更
【補正の内容】
【発明の詳細な説明】
【技術分野】
【０００１】
本発明の実施形態は無線通信の分野に関し、特に移動管理に関する。
【背景技術】
【０００２】
無線技術の発展に伴い、次世代無線通信システムの研究がますます盛んである。次世代無線通信システムのための既存のロングタームエボリューション（Long Term Evolution, LTE）技術と比較して、新しい無線アクセス技術（new radio access technology, New RATまたはNR）は、より短い待ち時間およびより高い帯域幅を提供することができ、増加する移動通信の要求を満たすために大量の接続をサポートする。
【０００３】
次世代無線通信システムの要件は、複数の規格をサポートする無線インタフェース送信を含む。この要件に基づいて、新しいネットワークアーキテクチャが提供される。ネットワークアーキテクチャは、ＮＲをサポートするコアネットワークを含む。コアネットワークは、少なくとも１つの無線アクセスネットワーク（radio access network, RAN）サーバを含む。アクセスネットワーク制御デバイスは、異なるＲＡＴ無線インタフェースをそれぞれ提供するために、複数の異なる無線アクセス技術（radio access technology, RAT）を使用するステーションを含んでもよい。ネットワークアーキテクチャにおいて、ユーザ装置（user equipment, UE）がＲＡＴを使用するステーションのカバレッジエリアにあるにもかかわらず、ＵＥとコアネットワークとの間の情報交換は、対応するアクセスネットワーク制御デバイスとコアネットワークとの間のインタフェースを使用することによって実装される。アイドル状態にある比較的大量のＵＥがセルを再選択する、またはアクセスネットワーク制御デバイス内で移動するとき、大量のシグナリング相互作用がアクセスネットワーク制御デバイスとコアネットワークとの間に存在する。その結果、過剰なシグナリングはインタフェースの過負荷を引き起こし、シグナリング応答速度が遅くなり、システム性能に影響を与える。
【発明の概要】
【０００４】
本発明の実施形態は、コアネットワーク側のインタフェースシグナリング負荷を低減するための移動管理方法を提供する。本発明の実施形態は、アクセスネットワーク制御デバイスと通信システムをさらに提供する。
【課題を解決するための手段】
【０００５】
第１の態様に従って、移動管理方法が提供され、概方法は、アクセスネットワーク制御デバイスによって、第１ステーションを介してユーザ装置ＵＥのロケーションエリア要求メッセージを受信するステップであって、ＵＥは第１ステーションによって管理されるセル内に位置する、ステップと、アクセスネットワーク制御デバイスによって、ロケーションエリア要求メッセージに基づいてＵＥのための少なくとも１つのロケーションエリア識別リストを設定するステップであって、ロケーションエリア識別リストは少なくとも１つのロケーションエリア識別情報を含み、ロケーションエリア識別情報はロケーションエリアを識別するために使用される、ステップと、アクセスネットワーク制御デバイスによって、第１ステーションを介して少なくとも１つのロケーションエリア識別リストをＵＥに送信するステップと、を含む。
【０００６】
第１の態様を参照して、第１の態様の第１の実施形態において、ロケーションエリアは少なくとも２つのセルを含み、少なくとも２つのセルは異なる無線アクセス技術ＲＡＴを使用する。例えば、１つのセルはＬＴＥアクセス技術を使用し、別のせるはＵＭＴＳアクセスシステムを使用する。
【０００７】
第１の態様を参照して、第１の態様の第２の実施形態において、アクセスネットワーク制御デバイスによって、ロケーションエリア要求メッセージに基づいてＵＥのための少なくとも１つのロケーションエリア識別リストを設定するステップは、アクセスネットワーク制御デバイスによって、ロケーションエリア要求メッセージに基づいてＵＥのための第１ロケーションエリア識別リストと第２ロケーションエリア識別リストを設定するステップを含み、第１ロケーションエリア識別リストの任意のロケーションエリア識別情報によって識別されるロケーションエリア内に含まれる全てのセルは第１のＲＡＴを使用し、第２ロケーションエリア識別リストの任意のロケーションエリア識別情報によって識別されるロケーションエリア内に含まれる全てのセルは第２のＲＡＴを使用し、第１のＲＡＴは第２のＲＡＴとは異なる。例えば、ロケーションエリア識別リストＡとＢはＵＥのために設定される。ロケーションエリア識別リストＡ内の任意のロケーションエリア識別情報によって識別されるロケーションエリア内に含まれる全てのセルは、ＬＴＥアクセス技術を使用し、ロケーションエリア識別リストＡ内の任意のロケーションエリア識別情報によって識別されるロケーションエリア内に含まれる全てのセルは、ＵＭＴＳアクセス技術を使用する。
【０００８】
第１の態様の任意の１つまたは第１の態様の前述の実施形態を参照して、第１の態様の第３の実施形態において、ロケーションエリア要求メッセージは、アタッチ要求メッセージであって、
アクセスネットワーク制御デバイスによって、ロケーションエリア要求メッセージに基づいてＵＥのためのロケーションエリア識別リストを設定するステップは、無線アクセスネットワークデバイスによって、アタッチ要求メッセージに基づいて登録要求メッセージをコアネットワークデバイスに送信するステップと、コアネットワークデバイスによって送信された登録要求応答メッセージを受信した後に、無線アクセスネットワークデバイスによって、ＵＥのための少なくとも１つのロケーションエリア識別リストを設定するステップと、を含み、
アクセスネットワーク制御デバイスによって、第１ステーションを介して少なくとも１つのロケーションエリア識別リストをＵＥに送信するステップは、無線アクセスネットワークデバイスによって、第１ステーションを介して、少なくとも１つのロケーションエリア識別リストを含むアタッチ要求応答メッセージをＵＥに送信するステップを含む。
【０００９】
第１の態様の任意の１つまたは第１の態様の前述の実施形態を参照して、第１の態様の第４の実施形態において、該方法は、アクセスネットワーク制御デバイスによって、第１ステーションによって送信されたロケーションエリア更新要求メッセージを受信するステップであって、ロケーションエリア更新要求メッセージは、ロケーションエリアの更新を要求するためにＵＥによって使用される、ステップと、ロケーションエリア更新要求メッセージに基づいて、アクセスネットワーク制御デバイスによって、ＵＥのロケーションエリア識別リストを更新するステップと、第１ステーションを介して無線アクセスネットワークデバイスによって、ロケーションエリア更新要求応答メッセージをＵＥに送信するステップであって、ロケーションエリア更新要求応答メッセージは、更新されたロケーションエリア識別リストを含む、ステップと、をさらに含む。
【００１０】
第１の態様の第４の実施形態を参照して、第１の態様の第５の実施形態において、ロケーションエリア更新要求メッセージに基づいて、アクセスネットワーク制御デバイスによって、ＵＥのロケーションエリア識別リストを更新するステップの前に、方法は、アクセスネットワーク制御デバイスによって、更新指示をコアネットワークデバイスに送信するステップであって、更新指示は、コアネットワークデバイスに、ＵＥに関連するアクセスネットワーク制御デバイスをアクセスネットワーク制御デバイスに更新するように命令するために使用される、ステップをさらに含む。
【００１１】
第１の態様の第５の実施形態を参照して、第１の態様の第６の実施形態において、更新指示はＵＥの識別情報を含む。
【００１２】
第１の態様の任意の１つまたは第１の態様の前述の実施形態を参照して、第１の態様の第７の実施形態において、アクセスネットワーク制御デバイスによって、コアネットワークデバイスによって送信された第１のページングメッセージを受信するステップであって、第１のページングメッセージは、アクセスネットワークサーバにＵＥにページングを実行するように命令するために使用される、ステップと、アクセスネットワークサーバによって、ＵＥのために設定されたロケーションエリア識別リストに対応するステーションに第２のページングメッセージを送信するステップであって、第２のページングメッセージはステーションにＵＥにページングを実行するように命令するために使用される、ステップと、をさらに含む。
【００１３】
第２の態様に従って、アクセスネットワーク制御デバイスが提供される。アクセスネットワーク制御デバイスは、第１ステーションを介してユーザ装置ＵＥのロケーションエリア要求メッセージを受信するのに適合した第１受信ユニットであって、ＵＥは第１ステーションによって管理されるセル内に位置する、第１受信ユニットと、ロケーションエリア要求メッセージに基づいてＵＥのための少なくとも１つのロケーションエリア識別リストを設定するのに適合した処理ユニットであって、ロケーションエリア識別リストは少なくとも１つのロケーションエリア識別情報を含み、ロケーションエリア識別情報はロケーションエリアを識別するために使用される、処理ユニットと、第１ステーションを介して少なくとも１つのロケーションエリア識別リストをＵＥに送信するのに適合した第１送信ユニットと、を含む。
【００１４】
第２の態様を参照して、第２の態様の第１の実施形態において、ロケーションエリアは少なくとも２つのセルを含み、少なくとも２つのセルは異なる無線アクセス技術ＲＡＴを使用する。
【００１５】
第２の態様を参照して、第２の態様の第２の実施形態において、処理ユニットは、ロケーションエリア要求メッセージに基づいてＵＥのための第１ロケーションエリア識別リストと第２ロケーションエリア識別リストを設定するのに特に適合し、第１ロケーションエリア識別リストの任意のロケーションエリア識別情報によって識別されるロケーションエリア内に構成される全てのセルは第１のＲＡＴを使用し、第２ロケーションエリア識別リストの任意のロケーションエリア識別情報によって識別されるロケーションエリア内に構成される全てのセルは第２のＲＡＴを使用し、第１のＲＡＴは第２のＲＡＴとは異なる。
【００１６】
第２の態様の任意の１つまたは第２の態様の前述の実施形態を参照して、第２の態様の第３の実施形態において、第１受信ユニットによって受信されるロケーションエリア要求メッセージは、アタッチ要求メッセージであって、
デバイスは、第１受信ユニットによって受信されたアタッチ要求メッセージに基づいて登録要求メッセージをコアネットワークデバイスに送信するのに適合した第２送信ユニットをさらに含み、
デバイスは、コアネットワークデバイスによって送信された登録要求応答メッセージを受信するのに適合した第２受信ユニットをさらに含み、
処理ユニットは、コアネットワークデバイスによって送信された登録要求応答メッセージを第２受信ユニットが受信した後に、ＵＥのための少なくとも１つのロケーションエリア識別リストを設定するのに特に適合し、
第１送信ユニットは、第１ステーションを介して少なくとも１つのロケーションエリア識別リストを含むアタッチ要求応答メッセージをＵＥに送信するのに特に適合する。
【００１７】
第２の態様の任意の１つまたは第２の態様の前述の実施形態を参照して、第２の態様の第４の実施形態において、第１受信ユニットは、第１ステーションによって送信されたロケーションエリア更新要求メッセージを受信するのにさらに適合し、ロケーションエリア更新要求メッセージは、ロケーションエリアの更新を要求するためにＵＥによって使用され、処理ユニットは、ロケーションエリア更新要求メッセージに基づいて、ＵＥのロケーションエリア識別リストを更新するのにさらに適合し、第１送信ユニットは、第１ステーションを介して、更新されたロケーションエリア識別リストを含むロケーションエリア更新要求応答メッセージをＵＥに送信するのに特に適合する。
【００１８】
第２の態様の第４の実施形態を参照して、第２の態様の第５の実施形態において、アクセスネットワーク制御デバイスは、ロケーションエリア更新要求メッセージに基づいて、処理ユニットがＵＥのロケーションエリア識別リストを更新する前に、更新指示をコアネットワークデバイスに送信するのに適合した第２送信ユニットをさらに含み、更新指示は、コアネットワークデバイスに、ＵＥに関連するアクセスネットワーク制御デバイスをアクセスネットワーク制御デバイスに更新するように命令するために使用される。
【００１９】
第２の態様の第５の実施形態を参照して、第２の態様の第６の実施形態において、更新指示はＵＥの識別情報を含む。
【００２０】
第２の態様の任意の１つまたは第２の態様の前述の実施形態を参照して、第２の態様の第７の実施形態において、デバイスは、コアネットワークデバイスによって送信された第１のページングメッセージを受信するのに適合した第２受信ユニットであって、第１のページングメッセージは、アクセスネットワークサーバにＵＥにページングを実行するように命令するために使用される、第２受信ユニットをさらに含み、
第１送信ユニットは、ＵＥのために設定されたロケーションエリア識別リストに対応するステーションに第２のページングメッセージを送信するのにさらに適合し、第２ページングメッセージはＵＥにページングを実行するために使用される。
【００２１】
第３の態様に従って、移動管理方法が提供される。概方法は、コアネットワークデバイスによって、アクセスネットワーク制御デバイスによって送信された更新指示を受信するステップであって、更新指示は、ユーザ装置ＵＥの識別情報を含み、ＵＥに関連するアクセスネットワーク制御デバイスをアクセスネットワーク制御デバイスに更新するように命令するために使用される、ステップと、コアネットワークデバイスによって、ＵＥの識別情報に基づいて、ＵＥに関連するアクセスネットワーク制御デバイスをアクセスネットワーク制御デバイスに更新するステップと、を含む。
【００２２】
第３の態様を参照して、第３の態様の第１の実施形態において、概方法は、コアネットワークデバイスによって、識別マッピングリストを整備するステップであって、識別マッピングリストは、ＵＥの識別情報とアクセスネットワーク制御デバイスの識別情報との間のマッピング関係を示す、ステップをさらに含み、コアネットワークデバイスによって、ＵＥの識別情報に基づいて、ＵＥに関連するアクセスネットワーク制御デバイスをアクセスネットワーク制御デバイスに更新するステップは、コアネットワークデバイスによって、ＵＥの識別情報に基づいて、ＵＥの識別情報にマッピングされ、かつ識別マッピングリストにある、アクセスネットワーク制御デバイスの識別情報を、アクセスネットワーク制御デバイスの識別情報に更新するステップを含む。
【００２３】
第３の態様を参照して、第３の態様の第２の実施形態において、概方法は、コアネットワークデバイスによって、リリース要求をソースアクセスネットワーク制御デバイスに送信するステップであって、リリース要求は、ソースアクセスネットワーク制御デバイスに、ＵＥのコンテキストをリリースするように命令するために使用され、ソース無線アクセスネットワークサービスは、更新する前のＵＥに関連するアクセスネットワーク制御デバイスである、ステップをさらに含む。
【００２４】
第４の態様に従って、コアネットワークデバイスが提供される。コアネットワークデバイスは、アクセスネットワーク制御デバイスによって送信された更新指示を受信するのに適合した受信ユニットであって、更新指示は、ユーザ装置ＵＥの識別情報を含み、ＵＥはアクセスネットワーク制御デバイスによって管理されるセル内に位置する、受信ユニットと、ＵＥの識別情報に基づいて、ＵＥに関連するアクセスネットワーク制御デバイスをアクセスネットワーク制御デバイスに更新するのに適合した、処理ユニットと、を含む。アクセスネットワーク制御デバイスは、ＵＥに移動管理を実行し、ＵＥがアクセスネットワーク制御デバイスを横切って移動するときにのみ、対応関係を更新するためにコアネットワークデバイスに通知し、アクセスネットワーク側とコアネットワーク側との間のシグナリング相互作用を低減し、インタフェースシグナリング負荷を低減し、それによってシグナリング応答速度を向上し、システム性能を向上する。
【００２５】
第４の態様を参照して、第４の態様の第１の実施形態において、処理ユニットは、識別マッピングリストを整備するのにさらに適合し、識別マッピングリストは、ＵＥの識別情報とアクセスネットワーク制御デバイスの識別情報との間のマッピング関係を示し、処理ユニットは、ＵＥの識別情報に基づいて、ＵＥに関連するアクセスネットワーク制御デバイスをアクセスネットワーク制御デバイスに更新するステップは、ＵＥの識別情報に基づいて、ＵＥの識別情報にマッピングされ、かつ識別マッピングリストにある、アクセスネットワーク制御デバイスの識別情報を、アクセスネットワーク制御デバイスの識別情報に更新するステップを含む。アクセスネットワーク制御デバイスは、ＵＥに移動管理を実行し、ＵＥがアクセスネットワーク制御デバイスを横切って移動するときにのみ、対応関係を更新するためにコアネットワークデバイスに通知し、アクセスネットワーク側とコアネットワーク側との間のシグナリング相互作用を低減し、インタフェースシグナリング負荷を低減し、それによってシグナリング応答速度を向上し、システム性能を向上する。
【００２６】
第４の態様を参照して、第４の態様の第２の実施形態において、デバイスは、送信ユニットをさらに含み、送信ユニットは、リリース要求をソースアクセスネットワーク制御デバイスに送信するのに適合し、リリース要求は、ソースアクセスネットワーク制御デバイスに、ＵＥのコンテキストをリリースするように命令するために使用され、ソース無線アクセスネットワークサービスは、更新する前のＵＥに関連するアクセスネットワーク制御デバイスである。
【００２７】
本発明の実施形態において開示された方法、デバイス、およびシステムによると、アクセスネットワーク制御デバイスは、ＵＥに移動管理を実行し、アクセスネットワーク側とコアネットワーク側の間のシグナリング相互作用を低減し、インタフェースシグナリング負荷を低減し、それによってシグナリング応答速度を向上し、システム性能を向上する。
【図面の簡単な説明】
【００２８】
本発明の実施形態における技術的解決策をより明確に説明するために、実施形態を説明するために必要な添付図面を簡単に説明する。明らかに、以下の説明における添付図面は、本発明のいくつかの実施形態を示すだけであり、当業者は創造的な努力無しにこれらの添付図面から他の図面をさらに引き出すことができる。
【図１】本発明の一実施形態に従ったアプリケーションシナリオの概略図である
【図２】本発明の一実施形態に従った、移動管理方法の概略フローチャートである。
【図３】本発明の一実施形態に従ったアタッチ方法の概略的なシグナリングフローチャートである。
【図４】本発明の一実施形態に従ったロケーションエリア更新方法の概略的なシグナリングフローチャートである。
【図５】本発明の一実施形態に従った別のロケーションエリア更新方法の概略的なシグナリングフローチャートである。
【図６】本発明の一実施形態に従った、アクセスネットワーク制御デバイスの概略構成図である。
【図７】本発明の一実施形態に従ったアクセスネットワーク制御デバイスの可能な概略構成図である。
【図８】本発明の一実施形態に従ったコアネットワークデバイスの概略構成図である。
【図９】本発明の一実施形態に従ったコアネットワークデバイスの可能な概略構造図である。
【図１０】本発明の一実施形態に従った通信システムの概略図である。
【００２９】
この明細書に記載された技術は、例えば、汎欧州デジタル移動電話方式（Global System for Mobile communications, GSM）などの２Ｇシステム、広帯域符号分割多元接続（Wideband Code Division Multiple Access Wireless, WCDMA）システムなどの３Ｇシステム、ロングタームエボリューション（Long Term Evolution, LTE）システムなどの４Ｇシステム、ＬＴＥの進化したものであるＮＲ通信システム、無線ローカルエリアネットワーク（WLAN、wireless local area network）とセルラネットワークとの組み合わせの通信ネットワークといった様々な通信システムに適用されてもよい。特に、本発明の実施形態で説明した新しい無線アクセス技術（new radio access technology, NR/NRAT）は、４Ｇシステムの後に出現する５Ｇ通信システムを含む通信技術と考えられてもよい。
【００３０】
本発明の実施形態における基地局は、ＧＳＭにおけるベーストランシーバ基地局（Base Transceiver Station, BTS）、ＷＣＤＭＡにおけるノードＢ（NodeB）、あるいはＬＴＥにおける進化型ノードＢ（eNBまたはe-NodeB、evolved NodeB）、ＮＲ通信システムにおける類似の基地局などであってもよい。
【００３１】
本発明の実施形態において、通信システムの概念は通信ネットワークの概念と同じであり、通信システムは、本発明の実施形態において説明のための一例として使用される。
【００３２】
本発明の実施形態におけるUEは、無線通信機能を有するハンドヘルドデバイス、車両装置、ウェアラブルデバイス、コンピューティングデバイス、あるいは無線モデムに接続された別の処理デバイス、ユーザ装置（User Equipment, UE）、移動局（mobile station, MS）、端末（terminal）、端末装置（terminal equipment）、などの様々な形態のものを含んでもよい。説明を容易にするために、本明細書において、ＵＥは「ユーザ装置」または「ＵＥ」と呼ばれる。
【００３３】
本発明の実施形態において、基地局からＵＥへの一方向通信リンクはダウンリンクとして定義され、ＵＥから基地局への一方向通信リンクはアップリンクである。
【００３４】
本発明の実施形態において説明されるリソースは、時間領域リソースおよび周波数領域リソースを含む送信リソースであり、アップリンク通信プロセスまたはダウンリンク通信プロセスにおいてデータまたはシグナリングを記憶するために使用される。つまり、本発明の実施形態におけるリソースは、基地局によってＵＥに割り当てられたアップリンクリソースであり、ＵＥがアップリンクデータを送信するために使用されてもよく、あるいは基地局によってＵＥに割り当てられたダウンリンクリソースであり、ＵＥがダウンリンクデータを受信するために使用されてもよい。
【００３５】
本明細書における「および／または」という用語は、関連するオブジェクトを記述するための関連関係のみを記述し、３つの関係が存在し得ることを表す。以下の３つの場合、すなわち、Ａおよび／またはＢは、Ａのみ存在し、ＡおよびＢの両方が存在し、Ｂのみが存在する、を表すことができる。さらに、本明細書における文字「／」は、関連するオブジェクト間の「または」関係を示す。
【００３６】
本発明の実施形態における「複数の」という用語は、２つまたは３つ以上を意味する。本発明の実施形態における「第１」および「第２」などの記載は、単なる一例にすぎず、記載された対象間の区別を意図しているが、特定のシーケンスを特に示さず、本発明の実施形態におけるデバイスの数に特に限定するものではなく、本発明の実施形態を限定するものではない。
【００３７】
図１は、本発明の一実施形態に従ったアプリケーションシナリオの概略図である。図１に示された通信ネットワークは、コアネットワーク（core network, CN）と無線アクセスネットワーク（radio access network, RAT）を含み、ＣＮはＲＡＮを管理する。本発明のこの実施形態におけるＣＮは、５Ｇ  ＣＮであり、ＮＲアクセスネットワークなどを含む新しいアクセスネットワーク、２Ｇ、３Ｇ、あるいは４Ｇアクセスネットワーク、およびＷＬＡＮを含むＲＡＮの異なる規格を管理してもよく、サービストラフィック統計、課金、およびサービス配信などの様々なコアネットワーク機能を有する。
【００３８】
図１に示すように、ＲＡＮはアクセスネットワーク制御デバイスおよびステーションを含む。特に、異なる無線アクセス技術（radio access technology, RAT）を使用する様々なステーションは、アクセスネットワーク制御デバイス下に配置されてもよい。つまり、各ステーションの規格は異なる。アクセスネットワーク制御デバイスは、アクセスネットワーク制御デバイスのカバレッジエリア内の様々なステーションの統一的な管理を行う。本発明のこの実施形態において、アクセスネットワーク制御デバイスは、無線アクセスネットワークサーバ（略して「RAN server」）であってもよい。ＲＡＮサーバは、様々な規格のステーションを管理する。
【００３９】
ＣＮとアクセスネットワーク制御デバイスとの間に通信インタフェースが存在し、ＣＮとＲＡＮとの間の通信を実装する。特に、光ファイバーあるいはマイクロ波が接続のために用いられてもよい。アクセスネットワーク制御デバイスは、様々な有線または無線の方法でステーションと通信してもよい。これは、本発明のこの実施形態において限定されない。
【００４０】
ステーションは、異なるＲＡＴ無線インタフェースをそれぞれ提供する。例えば、図１に示すように、ｅＮＢ、ＮＲステーション、およびＷＬＡＮアクセスポイント（access point, AP）は、アクセスネットワーク制御デバイスに接続され、ＬＴＥ無線インタフェースサービス、ＮＲ無線インタフェースサービス、およびＷＬＡＮ無線インタフェースサービスを別々に提供してもよい。各ステーションは、１つ又は複数のセルを管理してもよい。例えば、ｅＮＢによって管理されるセルは、ＬＴＥ  ｃｅｌｌと呼ばれ、ＮＲステーションによって管理されるセルは、ＮＲ  ｃｅｌｌと呼ばれ、ＷＬＡＮ  ＡＰによって管理されるセルは、ＷＬＡＮセルと呼ばれる。ＵＥが対応するセルに入った後、対応するステーションによって提供される無線インタフェースサービスは、ステーションがアクセスされた後に取得されることができる。
【００４１】
ＬＴＥプロトコルスタックを参照すると、本発明の実施形態において提供されるアクセスネットワーク制御デバイスは、上位レイヤの機能、つまりパケットデータカバレッジプロトコル（Packet Data Convergence Protocol, PDCP）レイヤと上位レイヤの機能を有する。これに対応して、アクセスネットワーク制御デバイスによって管理されるｅＮＢ、ＮＲステーション、およびＷＬＡＮ  ＡＰは、それぞれ下位レイヤプロトコルスタックで構成されてもよく、およびアクセスネットワーク制御デバイスの上位レイヤプロトコル機能を共有してもよい。任意の解決策は、すなわち、アクセスネットワーク制御デバイスのプロトコルスタックが、無線リソース制御（Radio Resource Control, RRC）レイヤ、ＰＤＣＰレイヤ、およびアクセス適合（Access Adaption）レイヤを含むことである。アクセス適合レイヤは、ステーションの各規格とＣＮとの間のシグナリング相互作用に適合されることができ、そうすることによってＣＮはアクセス規格を感知しない。これに対応して、ｅＮＢとＮＲステーションのプロトコルスタックは、無線リンク制御（Radio Link Control, RLC）レイヤ、メディアアクセス制御（Media Access Control, MAC）レイヤ、および物理レイヤを含み、ＷＬＡＮ  ＡＰのプロトコルスタックはＭＡＣレイヤと物理レイヤを含む。
【００４２】
本発明の別の実施形態において、アクセスネットワーク制御デバイスは、制御ユニット（control unit, CU）であってもよく、ステーションは分散ユニット（distributed unit, DU）であってもよく、ＣＵとＤＵは一緒にＲＡＮを構成する。ＣＵは、複数の異なる規格のＤＵを管理してもよい。
【００４３】
ＣＮは１つ以上のアクセスネットワーク制御デバイスに接続されてもよいことが理解されよう。図１に示すアクセスネットワーク制御デバイスの数は、単なる一例であり、通信ネットワーク内のアクセスネットワーク制御デバイスの数を限定するものではない。実際のネットワーク構築では、アクセスネットワーク制御デバイスの任意の数がネットワーク性能要求に基づいて設定され得る。
【００４４】
これに対応して、本発明のこの実施形態におけるＵＥは、マルチモード通信をサポートする、つまり、前述の通信ネットワークのステーションの任意の１つと通信してもよい。例えば、ＵＥはｅＮＢ、ＮＲステーション、ＷＬＡＮ  ＡＰにそれぞれキャンプオンし、および各ステーションの無線インタフェースを使用することによってデータを送信することができる。
【００４５】
アクセスネットワーク制御デバイスのネットワークアーキテクチャにおいて、ＵＥは少なくとも２つの状態、すなわち、アイドル状態および接続状態を有してもよい。アイドル状態において、ＵＥのコンテキストはＲＡＮ側、すなわち、アクセスネットワーク制御デバイスとステーションの各規格に保持されることはできないが、ＵＥのコンテキストはＣＮ内に保持されることができる。接続状態において、ＵＥと少なくとも１つのステーションの規格との間に接続があり、ＵＥのコンテキストはＲＡＮ側とＣＮの両方に保持される。
【００４６】
さらに、ＵＥは非アクティブ状態を有してもよい。状態は、アイドル状態と接続状態との間である。ＵＥが非アクティブ状態にあるとき、ＵＥのコンテキストはＲＡＮ側とＣＮ側の両方に保持されるが、ＵＥとＲＡＮとの間に無線インタフェース接続は無い。
【００４７】
本発明は、アイドル状態および非アクティブ状態のＵＥに適用可能である。例えば、この実施形態において、アイドル状態にあるＵＥの移動が説明のための例として用いられる。
【００４８】
図２は、本発明の一実施形態に従った、移動管理方法の概略フローチャートである。移動管理方法は、ステップＳ２０１からＳ２０３を含む。
【００４９】
Ｓ２０１：アクセスネットワーク制御デバイスが第１ステーションを介してユーザ装置ＵＥのロケーションエリア要求メッセージを受信し、ＵＥは第１ステーションによって管理されたセル内に位置する。
【００５０】
具体的には、第１ステーションはアクセスネットワーク制御デバイスによって管理されるステーションである。第１ステーションのセルに入った後、ＵＥは第１ステーションにアクセスして通信サービスを取得してもよい。第１ステーションは任意の規格のステーションであってもよい。これは、本発明のこの実施形態において限定されない。
【００５１】
Ｓ２０２：アクセスネットワーク制御デバイスがロケーションエリア要求メッセージに基づいてＵＥのための少なくとも１つのロケーションエリア識別リストを設定し、ロケーションエリア識別リストは少なくとも１つのロケーションエリア識別情報を含み、ロケーションエリア識別情報はロケーションエリアを識別するために使用される。
【００５２】
アクセスネットワーク制御デバイスは、例えば、ＰＤＣＰレイヤおよび上位レイヤの機能を有する、第１ステーションのための上位レイヤプロトコルサービスを提供してもよい。
【００５３】
Ｓ２０３：アクセスネットワーク制御デバイスが第１ステーションを介して少なくとも１つのロケーションエリア識別リストをＵＥに送信する。
【００５４】
本発明のこの実施形態におけるロケーションエリア識別情報は、アイドル状態にあるＵＥが位置するロケーションエリアを示すために使用されてもよい。ロケーションエリアは、ＬＴＥネットワークのトラッキングエリア（Tracking Area, TA）の概念に類似しており、１つまたは複数のセルを含んでもよい。ロケーションエリアに含まれるセルは、いくつかのステーションによって管理されてもよく、異なるステーションによって管理されてもよい。セルが異なるステーションによって管理される場合、異なるステーションは同じ規格または異なる規格であってもよい。具体的には、ロケーションエリアは、例えばＬＴＥセルのみといった規格のいくつかのセルを含んでもよく、あるいはＬＴＥセルとＮＲセルなどの様々なセルの種類を含む、異なる規格のセルを含んでもよい。
【００５５】
同じロケーションエリアにあるセルは、同じロケーションエリア識別情報を使用することによって識別される。ロケーションエリア識別リストは、１つまたは複数のロケーションエリア識別情報を含んでもよい。ロケーションエリア識別リストは、１つまたは複数のロケーションエリアを示してもよく、ＵＥはロケーションエリアのうちの１つに配置される。
【００５６】
任意選択的に、ロケーションエリア識別情報は、公衆陸上移動ネットワークＩＤ（public land mobile network identity, PLMN ID）および移動エリアコード（Moving Area Code、 MAC）を含むか、あるいは、別の形態であってもよい。これは、本発明のこの実施形態において限定されない。
【００５７】
任意選択的に、本発明の実施形態において、ステップＳ２０２のロケーションエリアは少なくとも２つのセルを含み、２つのセルは異なるＲＡＴを使用する。
【００５８】
図１に示すアクセスネットワーク制御デバイスのアーキテクチャは、一例として使用される。ＮＲステーションとＷＬＡＮ  ＡＰの両方は、ＬＴＥステーションのＴＡ分割方法を使用する。具体的には、ＴＡ分割は、ＬＴＥ、ＮＲ、またはＷＬＡＮなどの規格間の区別をせず、同じ地理的領域にあるＬＴＥセル、ＮＲセル、またはＷＬＡＮセルはすべて同じＴＡＩで構成され、ＴＡを構成する。前述の地理的領域の範囲は、システムによって予め設定されてもよい。具体的には、システムは１つ又は複数の地理的領域を事前に決定し、各地理的領域は１つまたは複数のセルを含み、１つまたは複数のセルはＴＡを構成する。この実施形態において、異なるＲＡＴを使用するセルは、統合ロケーションエリア分割方法を使用することが理解されよう。前述のＴＡ分割方法は単に一例であり、限定を構成するものではない。
【００５９】
任意選択的に、本発明の別の実施形態において、ステップＳ２０２は、特に、
アクセスネットワーク制御デバイスによって、ロケーションエリア要求メッセージに基づいてＵＥのための第１ロケーションエリア識別リストと第２ロケーションエリア識別リストを設定するステップを含み、
第１ロケーションエリア識別リストの任意のロケーションエリア識別情報によって識別されるロケーションエリア内に含まれる全てのセルは第１のＲＡＴを使用し、第２ロケーションエリア識別リストの任意のロケーションエリア識別情報によって識別されるロケーションエリア内に含まれる全てのセルは第２のＲＡＴを使用し、第１のＲＡＴは第２のＲＡＴとは異なる。
【００６０】
図１に示すアクセスネットワーク制御デバイスのアーキテクチャがまだ、一例として使用される。アクセスネットワーク制御デバイスは、ｅＮＢ、ＮＲステーション、およびＷＬＡＮ  ＡＰなどの様々な規格のステーションを管理し、ステーションの各規格のセルをロケーションエリアに別々に分けてもよい。具体的には、ＬＴＥステーションの信号カバレッジエリアは、１つ又は複数のＴＡに分割されてもよく、各ＴＡはＴＡＩを使用することによって識別される。１つのＴＡ内のＬＴＥセルは、全て同じＴＡＩで構成され、ＴＡＩは各セル内でブロードキャストされる。ＮＲステーションの信号カバレッジエリアは、１つまたは複数の移動エリア（Moving Area, MA）に分割され、各ＭＡはＭＡＩを使用することによって識別される。１つのＭＡ内のＮＲは、全て同じＭＡＩで構成され、ＭＡＩはＮＲステーションによってブロードキャストされる。ＷＬＡＮ  ＡＰの信号カバレッジエリアは、複数のサービングエリア（Serving Area, SA）に分割され、各ＳＡはＳＡＩを使用することによって識別される。１つのＳＡ内のＷＬＡＮセルは、全て同じＳＡＩで構成され、ＳＡＩはブロードキャストされる。この実施形態において、ロケーションエリア分割はセルの規格に基づいて実行され、異なる規格に対応する複数のロケーションエリア識別リストを構成することが理解されよう。
【００６１】
本発明のこの実施形態における移動管理方法によると、様々な規格のステーションを管理するアクセスネットワーク制御デバイスは、ＵＥのためのロケーションエリア識別リストを設定することをコアネットワークに要求するための、ロケーションエリア要求メッセージをコアネットワークに報告する代わりに、ＵＥのロケーションエリア要求メッセージに基づいてＵＥのためのロケーションエリア識別リストを設定する。このようにして、アクセスネットワーク側でのＵＥの移動管理が実装され、アクセスネットワーク側とコアネットワーク側の間のシグナリング相互作用が低減され、インタフェースシグナリング負荷が低減され、それによってシグナリング応答速度が向上し、システム性能が向上する。
【００６２】
図３は、本発明の一実施形態に従ったアタッチ方法の概略的なシグナリングフローチャートである。図３に示す実施形態は、図２に示す実施形態のさらなる説明である。
【００６３】
わかりやすくするために、図３から５に示す実施形態において、アクセスネットワーク制御デバイスは３つのステーション、つまり、異なるＲＡＴを使用するｅＮＢ、ＮＲステーション、ＷＬＡＮ  ＡＰを管理し、ＵＥはＮＲステーションのセル内に位置し、ＮＲステーションを介してネットワークにアクセスすると仮定する。アクセスネットワーク制御デバイスによって管理されるステーションのタイプと数は、本発明のこれらの実施形態において限定されないことが理解されよう。
【００６４】
さらに、図３から図５に示す実施形態において、異なるRATを使用するセルが同じロケーションエリア識別リストに対応すると仮定する。具体的には、異なるＲＡＴを使用するセルは、統合ロケーションエリア分割方法を使用する。
【００６５】
方法は、ステップＳ３０１からＳ３０７を含む。
【００６６】
Ｓ３０１：ＵＥはアタッチ要求メッセージをＮＲステーションに送信する。
【００６７】
特に、ネットワークサービスを取得するために、ＵＥは最初にネットワーク側で登録を完了する必要がある。従って、ＵＥはアタッチ要求メッセージをＮＲステーションに送信する。アタッチ要求メッセージは、少なくとも、ＵＥの識別情報と、ＵＥがアタッチ要求を開始した時の、ＵＥが位置するセルのロケーションエリア識別情報とを含む。
【００６８】
ＵＥの識別情報は、特に一時移動加入者識別番号（temporary mobile subscriber identity, TMSI）、国際移動加入者識別番号（international mobile subscriber identity, IMSI）、または別の類似の識別情報であってもよい。これは、本発明のこの実施形態において特に限定されない。
【００６９】
Ｓ３０２：ＮＲステーションはアタッチ要求メッセージをアクセスネットワーク制御デバイスに送信する。
【００７０】
アタッチ要求メッセージを受信した後、ＮＥステーションは、アクセスネットワーク制御デバイスにメッセージを転送する。この転送プロセスにおいて、ＮＲステーションは、アタッチ要求メッセージだけをアクセスネットワーク制御デバイスに転送し、アタッチ要求メッセージの関連する情報要素を解析しない。
【００７１】
Ｓ３０３：アクセスネットワーク制御デバイスは登録要求メッセージをコアネットワークデバイスに送信する。
【００７２】
ＮＲステーションによって送信されたアタッチ要求メッセージを受信した後、アクセスネットワーク制御デバイスは、アタッチ要求メッセージを解析し、ＵＥのための登録要求メッセージをコアネットワークデバイスに送信し、コアネットワークデバイスにＵＥのための登録を完了するように要求する。このようにして、コアネットワークデバイスは、アクセスネットワーク制御デバイスによって管理され、ＵＥが位置する範囲を知ることができる。
【００７３】
特定のタイプのコアネットワークデバイスは、本発明のこの実施形態において特に限定されず、モビリティ管理エンティティ（mobility management entity, MME）デバイスに類似の単一のコアネットワークデバイスであってもよく、複数のコアネットワークデバイスの組み合わせでもよい。
【００７４】
Ｓ３０４：コアネットワークデバイスは登録要求応答メッセージでアクセスネットワーク制御デバイスに応答する。
【００７５】
ＵＥのための登録が完了した後、コアネットワークデバイスは、登録要求応答メッセージでアクセスネットワーク制御デバイスに応答する。
【００７６】
Ｓ３０５：アクセスネットワーク制御デバイスはＵＥのためのロケーションエリア識別リストを設定する。
【００７７】
コアネットワークデバイスによって送信された登録要求応答メッセージを受信した後、アクセスネットワーク制御デバイスは、ＵＥのためのロケーションエリア識別リストを設定する。アクセスネットワーク制御デバイスは、ＵＥが現在位置しているセルの報告されたロケーションエリア識別情報に基づいて、ＵＥのためのロケーションエリア識別リストを設定してもよい。ロケーションエリア識別リストの詳細な説明については、図２に示した実施形態の関連する説明を参照し、ここでは再度詳細な説明はしない。
【００７８】
Ｓ３０６：アクセスネットワーク制御デバイスはロケーションエリア識別リストを含むアタッチ要求メッセージをＮＲステーションに送信する。
【００７９】
Ｓ３０７：ＮＲステーションはアタッチ要求応答メッセージをＵＥに送信する。
【００８０】
アクセスネットワーク制御デバイスによって送信されたアタッチ要求応答メッセージを受信した後、ＮＲステーションは、アタッチ要求応答メッセージをＵＥに転送する。
【００８１】
アタッチプロセスにおいて、アクセスネットワーク制御デバイスは、ＵＥのための登録を完了するために、コアネットワークデバイスに登録要求を送信し、ＵＥのためのロケーションエリア識別リストを設定する責任がある。ＵＥはアクセスネットワーク制御デバイスによって設定されたＵＥのためのロケーションエリア識別リストを取得することができる。ロケーションエリア識別リストに対応するＬＴＥセル、ＮＲセル、およびＷＬＡＮセルにおいて、アイドル状態にあるＵＥが移動するとき、更新を開始する必要はない。
【００８２】
任意選択的に、本発明の別の実施形態において、ＵＥが登録を完了した後、ＵＥのダウンリンクサービスが送信される必要がある場合、ネットワーク側がページングプロセスを開始してもよい。これに対応して、方法はさらにステップＳ３０８からＳ３０１０を含む。
【００８３】
Ｓ３０８：コアネットワークデバイスは、ＵＥとアクセスネットワーク制御デバイスとの間のマッピング関係に基づいて、アクセスネットワーク制御デバイスにページングメッセージを送信する。ページングメッセージは、ターゲットＵＥにページングを実行するようにアクセスネットワーク制御デバイスに命令するために使用される。
【００８４】
特に、コアネットワークデバイスは識別マッピングリストを整備してもよい。識別マッピングリストは、ＵＥの識別情報と無線アクセスネットワークサーバの識別情報との間のマッピング関係を示す。コアネットワークデバイスは、ＵＥの識別情報に基づいて、ＵＥに対応するアクセスネットワーク制御デバイスを見つけてもよく、それによってページングメッセージをアクセスネットワーク制御デバイスに送信する。
【００８５】
Ｓ３０９：アクセスネットワーク制御デバイスはページングメッセージを対応するステーションに送信する。
【００８６】
コアネットワークデバイスによって送信されたページングメッセージを受信した後、アクセスネットワーク制御デバイスは、ＵＥのために設定されたロケーションエリア識別リストに基づいて、ロケーションエリア識別リストに対応するステーションにページングメッセージを送信する。ステーションは様々な規格のステーションを含んでもよい。ページングメッセージは、無線インタフェースを使用することによって、ＵＥにページングを実行するようにステーションに命令するために使用される。
【００８７】
Ｓ３０１０：各ステーションは無線インタフェースを使用することによってＵＥに対してページングを開始する。
【００８８】
アクセスネットワーク制御デバイスによって送信されたページングメッセージを受信した後、各ステーションは、ロケーションエリア識別リストに基づいて、ステーションによって管理されたセル内のＵＥにページングを実行する。セルは、ロケーションエリア識別リストのロケーションエリア識別情報を使用する。
【００８９】
前述のページング方法によると、コアネットワークによって決定されたアクセスネットワーク制御デバイスは、ページングを実行するために、ロケーションエリア識別リストに基づいて、対応するステーションを検索する。コアネットワークデバイスは、各ステーションをページングする必要がなく、ページングプロセスにおけるコアネットワーク側のシグナリング負荷を低減する。
【００９０】
任意選択的に、本発明の別の実施形態において、アクセスネットワーク制御デバイスは、ＵＥのための複数のロケーションエリア識別リストを設定してもよく、各リストはＲＡＴを使用するセルに対応する。例えば、アクセスネットワーク制御デバイスは、ＵＥのためのＴＡＩリスト、ＭＡＩリスト、およびＳＡＩリストを同時に設定する。詳細は、図２に示す実施形態の関連する説明を参照されたい。アクセスネットワーク制御デバイスは、アタッチプロセスおよびその後のロケーションエリア更新プロセスにおいて、ＵＥのために異なる規格のセルを表すロケーションエリア識別情報を同時に設定する。
【００９１】
任意選択的に、ロケーションエリア更新要求メッセージを送信したとき、ＵＥはロケーションエリア識別リストの一部または全てを更新するようにアクセスネットワーク制御デバイスに要求してもよい。あるいは、アクセスネットワーク制御デバイスは、ＵＥの現在のロケーション情報に基づいて、ＵＥのためのロケーションエリア識別リストの一部または全てを更新することを決定してもよい。
【００９２】
アイドル状態にあるＵＥがアクセスネットワーク制御デバイスによって管理される範囲内を移動し、設定されたロケーションエリア識別リストに対応するセルの元の範囲を超えた場合、ＵＥはロケーションエリア更新プロセスを開始し、ＵＥが現在キャンプしているセルに対応するロケーションエリア識別リストを取得する。
【００９３】
図４は、本発明の一実施形態に従ったロケーションエリア更新方法の概略的なシグナリングフローチャートである。ロケーションエリア更新方法は、ステップＳ４０１からＳ４０５を含む。
【００９４】
この実施形態は、アイドル状態にあるＵＥがロケーションエリア識別リストに対応するセルの範囲外のＬＴＥセルに入る例を用いて説明される。ＬＴＥセルは、アクセスネットワーク制御デバイスのカバレッジエリアに位置し、ＬＴＥはアクセスネットワーク制御デバイスによって管理される。
【００９５】
Ｓ４０１：ＵＥはロケーションエリア更新要求メッセージをｅＮＢに送信する。
【００９６】
ロケーションエリア更新要求メッセージは、ロケーションエリアの更新を要求するためにＵＥによって使用される。アイドル状態にあるＵＥがＬＴＥセルに入り、ＵＥが、ＬＴＥセルのロケーションエリア識別情報がＵＥの現在設定されたロケーションエリア識別リストに属さないことを検出した場合、ＵＥはロケーションエリア更新プロセスを開始し、最初にロケーションエリア更新要求メッセージを、ＬＴＥセルを管理するｅＮＢに送信する。ロケーションエリア更新要求メッセージの具体的な内容およびフォーマットについては、ＬＴＥシステムで使用されるトラッキングエリア更新（tracking area update, TAU）要求メッセージを参照されたい。詳細はここでは説明しない。
【００９７】
Ｓ４０２：ｅＮＢはロケーションエリア更新要求メッセージをアクセスネットワーク制御デバイスに送信する。
【００９８】
ＵＥによって送信されたロケーションエリア更新要求メッセージを受信した後、ｅＮＢはロケーションエリア更新要求メッセージをアクセスネットワーク制御デバイスに転送する。
【００９９】
Ｓ４０３：アクセスネットワーク制御デバイスはＵＥのロケーションエリア識別リストを更新する。
【０１００】
ｅＮＢによって送信されたロケーションエリア更新要求メッセージを受信した後、アクセスネットワーク制御デバイスはＵＥのための新しいロケーションエリア識別リストを設定する。特に、アクセスネットワーク制御デバイスは、現在のセルであり、かつＵＥによって報告される、ロケーションエリア識別情報に基づいてＵＥのためにロケーションエリア識別リストを設定してもよい。ロケーションエリア識別リストの詳細な説明については、図２に示す実施形態の関連する説明を参照し、ここでは再度詳細な説明はしない。
【０１０１】
Ｓ４０４：アクセスネットワーク制御デバイスは更新されたロケーションエリア識別リストを含むロケーションエリア更新要求応答メッセージをｅＮＢに送信する。
【０１０２】
Ｓ４０５：ｅＮＢはロケーションエリア更新要求応答メッセージをＵＥに送信する。
【０１０３】
アクセスネットワーク制御デバイスによって送信されたロケーションエリア更新要求応答メッセージを受信した後、ｅＮＢは応答メッセージを解析しないが、ロケーションエリア更新要求応答メッセージをＵＥに転送する。
【０１０４】
前述の方法は、図２に示した実施形態において提供される方法に基づいて実装されてもよいことに留意されたい。例えば、ステップＳ４０１からＳ４０５は、ステップＳ２０１からＳ２０３の後に実行される。これは限定されない。
【０１０５】
前述のロケーションエリア更新プロセスにおいて、ＵＥはアクセスネットワーク制御デバイスのカバレッジエリア内を移動する。アクセスネットワーク制御デバイスは、アイドル状態にあるＵＥのためのロケーションエリア識別リストを更新する責任がある。アクセスネットワーク制御デバイスは、コアネットワークデバイスにＵＥの移動を通知する必要はない。コアネットワークデバイスは、ＵＥがアクセスネットワーク制御デバイスのカバレッジエリアにいることを知るだけでよい。つまり、コアネットワーク側とアクセスネットワーク側はプロセスにおいてシグナリング相互作用を実行する必要はない。任意選択的に、アクセスネットワーク制御デバイスは、コアネットワークデバイスに指示メッセージを送信して、ＵＥがアクセスネットワーク制御デバイスのカバレッジエリアにいることをコアネットワークデバイスに通知してもよい。指示情報はＵＥの識別情報を含む。
【０１０６】
本発明の別の実施形態において、アイドル状態にあるＵＥの移動範囲が拡大する。例えば、ＵＥはＮＲセルに入るが、ＮＲセルはＵＥによって以前に取得されたロケーションエリア識別リストに対応するセルに属しておらず、ＮＲセルは別のアクセスネットワーク制御デバイスのカバレッジセル内にあり、ＵＥがロケーションエリア更新プロセスを開始するとき、シグナリングフローは図５に示され、ステップＳ５０１からＳ５０８を含む。
【０１０７】
Ｓ５０１：ＵＥはロケーションエリア更新要求メッセージをＮＲステーションに送信する。
【０１０８】
特に、ＵＥはＮＲセルが属するＮＲステーションにロケーションエリア更新要求メッセージを送信する。
【０１０９】
Ｓ５０２：ＮＲステーションはロケーションエリア更新要求メッセージをアクセスネットワーク制御デバイスに送信する。
【０１１０】
Ｓ５０１とＳ５０２はアクセスネットワーク制御デバイスの移動によってトリガされるロケーションエリア更新プロセスと同じであってもよく、ここでは再度詳細は説明しない。
【０１１１】
本実施形態において、ＵＥのロケーションエリア更新要求メッセージを受信するアクセスネットワーク制御デバイスは、ＵＥが現在位置するＮＲセルが属するＮＲステーションを管理するアクセスネットワーク制御デバイスである。すなわち、ＵＥは現在アクセスネットワーク制御デバイスのカバレッジエリアに位置する。
【０１１２】
Ｓ５０３：アクセスネットワーク制御デバイスはコアネットワークデバイスに更新指示メッセージを送信する。
【０１１３】
アイドル状態にあるＵＥは、別のアクセスネットワーク制御デバイスのカバレッジエリアから転出し、初めてアクセスネットワーク制御デバイスのカバレッジエリアに入る。従って、ＵＥによって送信されたロケーションエリア更新要求メッセージを受信した後、アクセスネットワーク制御デバイスはコアネットワークデバイスに更新指示を送信し、コアネットワークデバイスにＵＥと関連するアクセスネットワーク制御デバイスを更新するように命令する必要がある。更新指示は少なくともＵＥの識別情報を含む。
【０１１４】
Ｓ５０４：コアネットワークデバイスはＵＥと関連するアクセスネットワーク制御デバイスを更新する。
【０１１５】
特に、コアネットワークデバイスは識別マッピングリストを整備してもよい。識別マッピングリストは、ＵＥの識別情報と無線アクセスネットワークサーバの識別情報との間のマッピング関係を示す。コアネットワークデバイスは、ＵＥの識別情報に基づいて、ＵＥの識別情報にマッピングされ、かつ識別マッピングリストにある、無線アクセスネットワークサーバの識別情報を、ＲＡＮサーバの識別情報に更新する。
【０１１６】
アクセスネットワーク制御デバイスはＵＥに移動管理を実行し、ＵＥがアクセスネットワーク制御デバイスを横切って移動するときにのみ、対応関係を更新するためにコアネットワークデバイスに通知し、アクセスネットワーク側とコアネットワーク側との間のシグナリング相互作用を低減し、インタフェースシグナリング負荷を低減し、それによってシグナリング応答速度を向上し、システム性能を向上する。
【０１１７】
Ｓ５０５：コアネットワークデバイスは更新応答メッセージでアクセスネットワーク制御デバイスに応答する。
【０１１８】
Ｓ５０５は、任意選択のステップである。
【０１１９】
Ｓ５０６：アクセスネットワーク制御デバイスはＵＥのロケーションエリア識別リストを更新する。
【０１２０】
Ｓ５０７：アクセスネットワーク制御デバイスは更新されたロケーションエリア識別リストを含むロケーションエリア更新要求応答メッセージをｅＮＢに送信する。
【０１２１】
Ｓ５０８：ｅＮＢはロケーションエリア更新要求応答メッセージをＵＥに送信する。
【０１２２】
ステップＳ５０６からＳ５０８はＳ４０３からＳ４０５と類似している。図４で示された実施形態を含む本発明の別の実施形態において関連する説明を参照されたい。ここでは詳細は再度説明しない。
【０１２３】
この実施形態において、アイドル状態にあるＵＥは新しいセルに移動する。セルは、ＵＥによって以前に設定されたロケーションエリア識別リストの範囲内にはなく、およびセルはＵＥのためのロケーションエリア識別リストを設定するアクセスネットワーク制御デバイス内に無い。この場合、ＵＥによって開始されたロケーションエリア更新プロセスにおいて、アクセスネットワーク制御デバイスはコアネットワークデバイスへの更新プロセスを開始する必要がある。コアネットワークデバイスはＵＥに対応するアクセスネットワーク制御デバイスを更新する。アクセスネットワーク制御デバイスはＵＥのための新しいロケーションエリア識別リストを設定する責任がある。
【０１２４】
任意選択的に、本発明の別の実施形態において、方法はさらに以下を含む。
【０１２５】
ステップＳ５０９：コアネットワークデバイスはソースアクセスネットワーク制御デバイスにリリース命令を送信し、ソースアクセスネットワーク制御デバイスがＵＥのコンテキストをリリースするように命令する。
【０１２６】
ソースアクセスネットワーク制御デバイスは、ＵＥがアクセスネットワーク制御デバイスのカバレッジエリアに入る前に関連するアクセスネットワーク制御デバイスである。具体的には、ＵＥが移動する前に、ＵＥはソースアクセスネットワーク制御デバイスのカバレッジエリアに位置し、ソースアクセスネットワーク制御デバイスによって提供される通信サービスを取得する。また、前述のロケーションエリア更新プロセスが完了する前に、コアネットワークデバイスの識別マッピングリストには、ＵＥとソースサーバとの間のマッピング関係がある。
【０１２７】
任意選択的に、本発明の別の実施形態において、アクセスネットワーク制御デバイスはリリース命令をソースアクセスネットワーク制御デバイスに送信してもよい。具体的には、ＵＥが現在キャンプしているセルのアクセスネットワーク制御デバイスは、ソースアクセスネットワーク制御デバイスにＵＥのコンテキストをリリースするように命令する。
【０１２８】
ソースアクセスネットワーク制御デバイス上のＵＥのコンテキストが解放され、そうすることによってソースアクセスネットワーク制御デバイスのリソースがリリースされてもよい。さらに、ＵＥがその後ソースアクセスネットワーク制御デバイスのセルに再度移動するとき、ソースアクセスネットワーク制御デバイスはＵＥが初めてセルに入るとみなし、コアネットワークデバイスに通知する必要がある。コアネットワークデバイスは、ＵＥに関連するアクセスネットワーク制御デバイスをソースアクセスネットワーク制御デバイスに更新する。
【０１２９】
図６は、本発明の一実施形態に従った、アクセスネットワーク制御デバイスの概略構成図である。アクセスネットワーク制御デバイスは、図２から図５に示す実施形態におけるアクセスネットワーク制御デバイスのステップを実行するのに適合されてもよい。
【０１３０】
特に、アクセスネットワーク制御デバイスは、以下のユニットを含む。
【０１３１】
第１受信ユニット６０１は、第１ステーションを介してユーザ装置ＵＥのロケーションエリア要求メッセージを受信するのに適合され、ＵＥは第１ステーションによって管理されたセル内に位置する。
【０１３２】
特に、第１受信ユニット６０１は、第１ステーションによって転送されたＵＥのロケーションエリア要求メッセージを受信してもよい。
【０１３３】
処理ユニット６０２は、ロケーションエリア要求メッセージに基づいて、ＵＥのための少なくとも１つのロケーションエリア識別リストを設定するのに適合され、ロケーションエリア識別リストは、少なくとも１つのロケーションエリア識別情報を含み、ロケーションエリア識別情報はロケーションエリアを識別するために使用される。
【０１３４】
ロケーションエリアは少なくとも１つのセルを含む。アクセスネットワーク制御デバイスは、少なくとも１つのセルのステーションに上位レイヤプロトコルサービスを提供する。図２に示す実施形態の関連する説明を参照されたい。
【０１３５】
任意選択的に、本発明の実施形態において、ロケーションエリアは少なくとも２つのセルを含み、少なくとも２つのセルは異なるＲＡＴを使用する。
【０１３６】
この実施形態において、異なるＲＡＴを使用するセル、すなわち、異なる規格のセルは、同一のロケーションエリア識別リスト内のロケーションエリア識別情報を使用することによって表される。具体的な説明については、本発明の方法の実施形態の関連する説明を参照し、ここでは詳細は再度説明しない。
【０１３７】
任意選択的に、本発明の一実施形態において、処理ユニット６０２は、ロケーションエリア要求メッセージに基づいて、ＵＥのための第１ロケーションエリア識別リストと第２ロケーションエリア識別リストを設定するように特に適合される。
【０１３８】
この実施形態において、１つのロケーションエリア識別リストは、セルの１つの規格に対応する。ロケーションエリア識別リストの数は、アクセスネットワーク制御デバイスに対応するＲＡＴの数と同じである。具体的な説明については、本発明の方法の実施形態の関連する内容を参照し、ここでは詳細は再度説明しない。
【０１３９】
第１送信ユニット６０３は、第１ステーションを介して少なくとも１つのロケーションエリア識別リストをＵＥに送信するように適合される。
【０１４０】
特に、第１送信ユニット６０３は、ＵＥのために設定されたロケーションエリア識別リストを第１ステーションに送信し、第１ステーションはロケーションエリア識別リストをＵＥに転送する。
【０１４１】
本発明のこの実施形態において開示されたデバイスによると、アクセスネットワーク制御デバイスは、ＵＥに移動管理を実行し、アクセスネットワーク側とコアネットワーク側のシグナリング相互作用を低減し、インタフェースシグナリング負荷を低減し、それによってシグナリング応答速度が向上し、システム性能が向上する。
【０１４２】
任意選択的に、本発明の一実施形態において、ロケーションエリア要求メッセージはアタッチ要求メッセージである。アクセスネットワーク制御デバイスのカバレッジエリアに入った後、ＵＥはアタッチプロセスを開始し、登録を完了する。
【０１４３】
この実施形態において、デバイスは第１受信ユニットによって受信されたアタッチ要求メッセージに基づいて登録要求メッセージをコアネットワークデバイスに送信するのに適合した第２送信ユニット６０４をさらに含む。
【０１４４】
アクセスネットワーク制御デバイスは、コアネットワークデバイスによって送信された登録要求応答メッセージを受信するのに適合した第２受信ユニット６０５をさらに含む。
【０１４５】
処理ユニット６０２は特に、第２受信ユニットがコアネットワークデバイスによって送信された登録要求応答メッセージを受信した後、ＵＥのための少なくとも１つのロケーションエリア識別リストを設定するのに適合される。
【０１４６】
第１送信ユニット６０３は、第１ステーションを介して、少なくとも１つのロケーションエリア識別リストを含むアタッチ要求応答メッセージをＵＥに送信するのに特に適合される。
【０１４７】
アタッチプロセスの詳細な説明とアタッチプロセスにおける前述のユニットの機能の詳細な説明については、本発明の方法の実施形態、たとえば図３に示す実施形態の関連するステップの説明を参照し、ここでは詳細は再度説明しない。
【０１４８】
任意選択的に、ＵＥがアタッチプロセスを完了した後、ＵＥのダウンリンクサービスが送信される必要がある場合、ネットワーク側はページングプロセスを開始してもよい。これに対応して、第２受信ユニット６０５はコアネットワークデバイスによって送信された第１ページングメッセージ受信するのにさらに適合される。第１ページングメッセージは、アクセスネットワークサーバにＵＥにページングを実行するように命令するために使用される。
【０１４９】
第１送信ユニット６０３は、ＵＥのために設定されたロケーションエリア識別リストに対応するステーションに第２ページングメッセージを送信するのにさらに適合され、第２ページングメッセージは、ステーションにＵＥにページングを実行するように命令するために使用される。
【０１５０】
コアネットワークによって決定されたアクセスネットワーク制御デバイスは、ロケーションエリア識別リストに基づいて、対応するステーションを検索し、ページングを実行する。コアネットワークデバイスは、各ステーションにページングする必要がなく、ページングプロセスにおけるコアネットワーク側のシグナリング負荷を低減する。
【０１５１】
任意選択的に、本発明の別の実施形態において、第１受信ユニット６０１は、ロケーションエリア更新要求メッセージを受信するのにさらに適合される。ロケーションエリア更新要求メッセージは、ロケーションエリアの更新を要求するためにＵＥによって使用される。ＵＥの移動中に、ＵＥが元々設定されたロケーションエリア識別リストに対応するセルを離れるとき、ＵＥはロケーションエリア更新要求プロセスを開始し、ＵＥが現在キャンプしているセルに対応するロケーションエリア識別リストを取得する。
【０１５２】
この実施形態において、処理ユニット６０２は、ロケーションエリア更新要求メッセージに基づいて、ＵＥのロケーションエリア識別リストを更新するのにさらに適合される。
【０１５３】
第１送信ユニット６０３は、第１ステーションを介して、更新されたロケーションエリア識別リストを含むロケーションエリア更新要求応答メッセージをＵＥに送信するのに特に適合される。
【０１５４】
任意選択的に、本発明の別の実施形態において、ＵＥがソースアクセスネットワーク制御デバイスのカバレッジエリアを離れ、アクセスネットワーク制御デバイスのカバレッジエリアに移動するとき、アクセスネットワーク制御デバイスは、コアネットワークに更新プロセスを開始し、コアネットワークに、ＵＥと関連するアクセスネットワーク制御デバイスを更新するように命令する必要がある。
【０１５５】
この実施形態において、アクセスネットワーク制御デバイスは、第２送信ユニット６０４をさらに含み、第２送信ユニット６０４は、処理ユニット６０２がロケーションエリア更新要求メッセージに基づいてＵＥのロケーションエリア識別リストを更新する前に、更新指示をコアネットワークデバイスに送信するのに適合し、更新指示は、コアネットワークデバイスにＵＥと関連するアクセスネットワーク制御デバイスをアクセスネットワーク制御デバイスに更新するように命令するために使用される。
【０１５６】
任意選択的に、更新指示はUEの識別情報を含む。
【０１５７】
図６に示すように、第１受信ユニット６０１、処理ユニット６０２、第１送信ユニット６０３、第２送信ユニット６０４、および第２受信ユニット６０５は、バスを使用することによって接続されてもよいが、バスは図６には図示しない。前述のユニットは、直接通信または間接通信を実装するための別の方法で代わりに接続されてもよい。これはここでは特に限定されない。
【０１５８】
本発明の別の実施形態において、ハードウェアの実装のために、受信ユニット６０１と６０５の機能が受信機によって実行されてもよく、送信ユニット６０３と６０４の機能が送信機によって実行されてもよい。あるいは、前述の受信ユニットと送信ユニットの機能は、送受信機または通信モジュールによって実装されてもよい。処理ユニット６０２は、ハードウェア形式で基地局のプロセッサ内に埋め込まれるか、独立していてもよく、あるいはソフトウェア形式で基地局のメモリに格納されてもよく、そうすることによって、プロセッサは前述のモジュールに対応する動作を呼び出して実行する。
【０１５９】
ロケーションエリア更新プロセスの詳細な説明とロケーションエリア更新プロセスにおける前述のユニットの機能の詳細な説明については、本発明の方法の実施形態、たとえば図４と図５に示す実施形態の関連するステップの説明を参照し、ここでは詳細は再度説明しない。
【０１６０】
図７は、本発明の一実施形態に従ったアクセスネットワーク制御デバイスの可能な概略構成図である。
【０１６１】
図７に示すように、アクセスネットワーク制御デバイスは、第１送受信機７０１、第２送受信機７０２、およびプロセッサ７０３を含んでもよい。図はさらに、メモリ７０４とバス７０５を示す。第１送受信機７０１、第２送受信機７０２、プロセッサ７０３、およびメモリ７０４は、バス７０５を使用することによって接続され、バス７０５を介して互いに通信する。
【０１６２】
第１送受信機７０１は、通信インタフェースであってもよい。通信インタフェースは、アクセスネットワーク制御デバイスによって管理されるステーションの対応する通信インタフェースに直接的または間接的に接続されてもよく、アクセスネットワーク制御デバイスとステーション間の情報交換のために使用される。
【０１６３】
第２送受信機７０２は、通信インタフェースであってもよい。通信インタフェースは、コアネットワークデバイスの対応する通信インタフェースに直接的または間接的に接続されてもよく、アクセスネットワーク制御デバイスとコアネットワークとの間の情報交換のために使用される。
【０１６４】
プロセッサ７０３は、図２から図５に示す方法の実施形態で説明されたアクセスネットワーク制御デバイスの処理プロセスを実行するように適合されてもよく、および／または本出願において記載された技術の別のプロセスを実行するのに適合されてもよい。
【０１６５】
メモリ７０４は、実行可能プログラムコードまたはデータを格納するように適合される。プログラムコードは、コンピュータ動作命令を含む。メモリ７０４に格納されたプログラムコードは、プロセッサ７０３によって実行されてもよい。
【０１６６】
この実施形態におけるアクセスネットワーク制御デバイスによって実行される方法プロセスの説明とデバイス内の各装置とコンポーネントの具体的な機能については、本発明の別の実施形態における関連する内容を参照し、ここでは再度詳細な説明はしない。
【０１６７】
図７は、アクセスネットワーク制御デバイスの単純化された設計だけを示すことが理解されよう。実際のアプリケーションでは、アクセスネットワーク制御デバイスは、任意の数の送受信機、プロセッサ、コントローラ、メモリ、通信ユニットなどを含んでもよい。
【０１６８】
本発明のこの実施形態におけるアクセスネットワーク制御デバイスは、ＣＵまたはＲＡＮサーバと呼ばれてもよい。本発明のこの実施形態におけるアクセスネットワーク制御デバイスの機能を実装することができるすべてのデバイスは、本発明の保護範囲に入る。
【０１６９】
図８は、本発明の一実施形態に従ったコアネットワークデバイスの概略構成図である。コアネットワークデバイスは、図２から図５に示す方法の実施形態で説明されるコアネットワークデバイスの処理プロセスを実行するように適合されてもよく、および／または本出願において記載された技術の別のプロセスを実行するのに適合されてもよい。
【０１７０】
コアネットワークデバイスは、アクセスネットワーク制御デバイスによって送信された更新指示を受信するのに適合された受信ユニット８０１を含み、更新指示はＵＥの識別情報を含み、ＵＥはアクセスネットワーク制御デバイスによって管理されるセル内に位置する。
【０１７１】
コアネットワークデバイスは、ＵＥの識別情報に基づいて、ＵＥと関連するアクセスネットワーク制御デバイスをアクセスネットワーク制御デバイスに更新するのに適合された処理ユニット８０２を含む。
【０１７２】
特に、ＵＥがソースアクセスネットワーク制御デバイスのカバレッジエリアからターゲットアクセスネットワーク制御デバイスのカバレッジエリアに入り、ロケーションエリア更新プロセスを開始するとき、ターゲットアクセスネットワーク制御デバイスは接続されたコアネットワークデバイスに更新メッセージを送信し、コアネットワークデバイスに、ＵＥと関連するアクセスネットワークデバイスを、ソースアクセスネットワークデバイスからターゲットアクセスネットワークデバイスに更新するように要求する。
【０１７３】
本発明のこの実施形態において説明されるデバイスによると、アクセスネットワーク制御デバイスは、ＵＥに移動管理を実行し、ＵＥがアクセスネットワーク制御デバイスを横切って移動するときにのみ、対応関係を更新するためにコアネットワークデバイスに通知し、アクセスネットワーク側とコアネットワーク側との間のシグナリング相互作用を低減し、インタフェースシグナリング負荷を低減し、それによってシグナリング応答速度を向上し、システム性能を向上する。
【０１７４】
任意選択的に、処理ユニット８０２は、識別マッピングリストを整備するのにさらに適合される。識別マッピングリストは、ＵＥの識別情報とアクセスネットワーク制御デバイスの識別情報との間のマッピング関係を示す。処理ユニット８０２は、ＵＥの識別情報に基づいて、ＵＥの識別情報にマッピングされ、かつ識別マッピングリストにある、アクセスネットワーク制御デバイスの識別情報を、アクセスネットワーク制御デバイスの識別情報に更新してもよい。
【０１７５】
コアネットワークデバイスがＵＥに関連するアクセスネットワーク制御デバイスを更新する特定のコンテンツについては、本発明の方法の実施形態における関連する説明を参照し、ここでは再度詳細に説明はしない。
【０１７６】
任意選択的に、コアネットワークデバイスは、リリース要求をソースアクセスネットワーク制御デバイスに送信するのに適合された送信ユニット８０３をさらに含む。リリース要求は、ＵＥのコンテキストをリリースするようにソースアクセスネットワーク制御デバイスに命令するために使用される。ソース無線アクセスネットワークサービスは、更新する前のＵＥに関連するアクセスネットワーク制御デバイスである。
【０１７７】
コアネットワークデバイスがソースアクセスネットワークデバイスにＵＥのコンテキストをリリースするように命令する特定のコンテンツについては、本発明の方法の実施形態における関連する説明を参照し、ここでは再度詳細な説明はしない。
【０１７８】
図９は、本発明の一実施形態に従ったコアネットワークデバイスの可能な概略構造図である。
【０１７９】
図９に示すように、コアネットワークデバイスは、送受信機９０１とプロセッサ９０２を含んでもよい。図はさらに、メモリ９０３とバス９０４を示す。送受信機９０１、プロセッサ９０２、およびメモリ９０３は、バス９０４を使用することによって接続され、バス９０４を介して互いに通信する。
【０１８０】
送受信機９０１は通信インタフェースであってもよい。通信インタフェースは、アクセスネットワークデバイスの対応する通信インタフェースに直接または間接的に接続されてもよく、アクセスネットワークとコアネットワークとの間の情報交換に使用される。
【０１８１】
プロセッサ９０２は、図２から図５に示される方法の実施形態において説明されたコアネットワークデバイスの処理プロセスを実行するように適合されてもよく、および／または本出願に記載の技術の別のプロセスを実行するように適合されてもよい。
【０１８２】
メモリ９０３は、実行可能なプログラムコードまたはデータを格納するように適合される。プログラムコードは、コンピュータ操作命令を含む。メモリ９０３に格納されたプログラムコードは、プロセッサ９０２によって実行されてもよい。
【０１８３】
この実施形態のコアネットワークデバイスによって実行される方法処理の説明と、デバイス内の各装置またはコンポーネントの具体的な機能については、本発明の別の実施形態における関連する内容を参照し、ここでは再度詳細な説明はしない。
【０１８４】
コアネットワークデバイスの具体的な種類は、本発明のこの実施形態において特に限定されない。コアネットワークデバイスは、ＭＭＥ、ＳＧＷ、ＰＧＷなど、または複数のコアネットワークデバイスの任意の組み合わせと同様のデバイスであってもよい。
【０１８５】
図１０は、本発明の一実施形態に従った通信システムの概略図である。
【０１８６】
通信システムは、コアネットワークデバイス１００１、アクセスネットワーク制御デバイス１００２、第１ステーション１００３、および第２ステーション１００４を含む。アクセスネットワーク制御デバイス１００２は、コアネットワークデバイス１００１に接続される。第１ステーション１００３および第２ステーション１００４はアクセスネットワーク制御デバイス１００２にそれぞれ接続される。デバイス間の接続方法は、本発明のこの実施形態において特に限定されない。第１ステーション１００３と第２ステーション１００４はそれぞれ異なるＲＡＴ、つまり、異なるステーションの規格を使用する。本発明のこの実施形態において、アクセスネットワーク制御デバイスによって管理されるステーションのタイプおよび数は限定されず、図１０は一例に過ぎないことを理解されたい。
【０１８７】
アクセスネットワーク制御デバイス１００２は、図６または図７で示される実施形態のアクセスネットワーク制御デバイスであってもよく、図２および図３で示される方法の実施形態のアクセスネットワーク制御デバイスによって実行されるステップを実行してもよい。
【０１８８】
コアネットワークデバイス１００１は、図８または図９で示される実施形態の、コアネットワークデバイスであってもよく、図２および図３に示される方法の実施形態の、コアネットワークデバイスによって実行されるステップを実行してもよい。
【０１８９】
前述のアクセスネットワーク制御デバイスまたはコアネットワークデバイスの機能を実行するように適合されたプロセッサは、中央処理装置（CPU）、汎用プロセッサ、デジタル信号プロセッサ（DSP）、特定用途向け集積回路（ASIC）、フィールドプログラマブルゲートアレイ（FPGA）、または他のプログラマブル論理デバイス、トランジスタ論理デバイス、ハードウェアコンポーネント、あるいはそれらの任意の組み合わせであってもよいことが理解されよう。プロセッサは、本発明において開示されたコンポーネントを参照して説明された論理ブロック、モジュール、および回路の様々な例を実装および実行してもよい。プロセッサは、演算機能を実装するプロセッサの組み合わせ、例えば、１つまたは複数のマイクロプロセッサの組み合わせ、またはＤＳＰとマイクロプロセッサの組み合わせであってもよい。
【０１９０】
本発明の実施形態におけるバスは、業界標準アーキテクチャ（Industry Standard Architecture, ISA）バス、周辺構成要素相互接続（Peripheral Component, PCI）バス、拡張業界標準アーキテクチャ（Extended Industry Standard Architecture, EISA）バス、等であってもよい。バスは、アドレスバス、データバス、制御バスなどに分類されることができる。表示を容易にするために、バスは図７および図９において一本の太線を用いて示される。しかしながら、これは１つのバスまたはバスの１つのタイプのみが存在することを示すものではない。
【０１９１】
簡便かつ簡単な説明のために、前述のデバイスおよびモジュールの作業プロセスが簡単に説明されることは、当業者には明らかである。具体的な内容については、前述の方法の実施形態における対応するプロセスの説明を参照されたい。
【０１９２】
本出願で提供されるいくつかの実施形態において、開示されたデバイスおよび方法は別の方法で実装されてもよいことを理解されたい。例えば、説明した装置の実施形態は、単なる例に過ぎない。例えば、ユニット分割は論理的な機能分割に過ぎず、実際の実装時には他の分割であってもよい。例えば、複数のユニットまたはコンポーネントは組み合わされてもよく、他のデバイスに統合されてもよく、またはいくつかの機能は無視されてもよく、実行されなくともよい。さらに、本発明の実施形態の機能ユニットは、１つの処理ユニットに統合されてもよく、ユニットのそれぞれは物理的に単独で存在してもよく、あるいは２つ以上のユニットが１つのユニットに統合されてもよい。
【０１９３】
本発明で開示される内容を参照して説明された方法またはアルゴリズムステップは、ハードウェア的に実装されてもよく、あるいはプロセッサによってソフトウェア命令を実行する方法で実装されてもよい。ソフトウェア命令は、対応するソフトウェアモジュールを含んでもよい。ソフトウェアモジュールは、ＲＡＭ、フラッシュメモリ、ＲＯＭ、ＥＰＲＯＭ、ＥＥＰＲＯＭ、レジスタ、ハードディスク、リムーバブルハードディスク、ＣＤ−ＲＯＭ、あるいは当該分野で周知された別の形態の記憶媒体に格納されることができる。一例として使用される記憶媒体はプロセッサに結合され、そうすることによって、プロセッサは記憶媒体から情報を読み取り、記憶媒体に情報を書き込むことができる。もちろん、記憶媒体はプロセッサの一部であってもよい。プロセッサおよび記憶媒体は、ＡＳＩＣ内に配置されてもよい。さらに、ＡＳＩＣはユーザ装置内に配置されてもよい。もちろん、プロセッサおよび記憶媒体は、個別部品としてユーザ装置内に存在してもよい。
【０１９４】
当業者は、上述の例のうち1つ又は複数において、本発明で説明される機能は、ハードウェア、ソフトウェア、ファームウェア、あるいはそれらの任意の組み合わせを使用することによって実装され得ることを理解すべきである。本出願がソフトウェアを使用して実装される場合、これらの機能はコンピュータ可読媒体に格納されてもよく、あるいはコンピュータ可読媒体の１つまたは複数の命令またはコードとして送信されてもよい。コンピュータ可読媒体は、コンピュータ記憶媒体および通信媒体を含み、通信媒体は、コンピュータプログラムがある場所から別の場所へ送信されることを可能にする任意の媒体を含む。記憶媒体は、一般的なまたは専用のコンピュータにアクセス可能な任意の利用可能な媒体であってもよい。
【０１９５】
本発明の目的、技術的解決策、および利益効果は、前述の特定の実施形態においてさらに詳細に説明された。前述の説明は、本発明の特定の実施形態にすぎず、本発明の保護範囲を限定するものではないことを理解されたい。本発明の技術的解決策に基づいてなされた任意の変更、同等の置換、または改良は、本発明の保護範囲内に入るものとする。
【符号の説明】
【０１９６】
６０１  第１受信ユニット
６０２  処理ユニット
６０３  第１送信ユニット
６０４  第２送信ユニット
６０５  第２受信ユニット
７０１  第１送受信機
７０２  第２送受信機
７０３  プロセッサ
７０４  メモリ
８０１  受信ユニット
８０２  処理ユニット
８０３  送信ユニット
９０１  送受信機
９０２  プロセッサ
９０３  メモリ
１００１  コアネットワークデバイス
１００２  アクセスネットワーク制御デバイス
１００３  第１ステーション
１００４  第２ステーション
【手続補正２】
【補正対象書類名】特許請求の範囲
【補正対象項目名】全文
【補正方法】変更
【補正の内容】
【特許請求の範囲】
【請求項１】
移動管理方法であって、前記方法は、
アクセスネットワーク制御デバイスによって、第１ステーションを介してユーザ装置（ＵＥ）のロケーションエリア要求メッセージを受信するステップであって、前記ＵＥは前記第１ステーションによって管理されるセル内に位置する、ステップと、
前記アクセスネットワーク制御デバイスによって、前記ロケーションエリア要求メッセージに基づいて前記ＵＥのための少なくとも１つのロケーションエリア識別リストを設定するステップであって、前記ロケーションエリア識別リストは少なくとも１つのロケーションエリア識別情報を含み、前記ロケーションエリア識別情報はロケーションエリアを識別するために使用される、ステップと、
前記アクセスネットワーク制御デバイスによって、前記第１ステーションを介して前記少なくとも１つのロケーションエリア識別リストを前記ＵＥに送信するステップと、を含む、
方法。
【請求項２】
前記ロケーションエリアは少なくとも２つのセルを含み、前記少なくとも２つのセルは異なる無線アクセス技術（ＲＡＴ）を使用する、請求項１に記載の方法。
【請求項３】
前記アクセスネットワーク制御デバイスによって、前記ロケーションエリア要求メッセージに基づいて前記ＵＥのための少なくとも１つのロケーションエリア識別リストを設定する前記ステップは、
前記アクセスネットワーク制御デバイスによって、前記ロケーションエリア要求メッセージに基づいて前記ＵＥのための第１ロケーションエリア識別リストと第２ロケーションエリア識別リストを設定するステップを含み、
前記第１ロケーションエリア識別リストの任意のロケーションエリア識別情報によって識別されるロケーションエリア内に含まれる全てのセルは第１のＲＡＴを使用し、前記第２ロケーションエリア識別リストの任意のロケーションエリア識別情報によって識別されるロケーションエリア内に含まれる全てのセルは第２のＲＡＴを使用し、前記第１のＲＡＴは前記第２のＲＡＴとは異なる、
請求項１に記載の方法。
【請求項４】
前記ロケーションエリア要求メッセージは、アタッチ要求メッセージであって、
前記アクセスネットワーク制御デバイスによって、前記ロケーションエリア要求メッセージに基づいて前記ＵＥのための少なくとも１つのロケーションエリア識別リストを設定する前記ステップは、
前記アクセスネットワーク制御デバイスによって、前記アタッチ要求メッセージに基づいて登録要求メッセージをコアネットワークデバイスに送信するステップと、
前記コアネットワークデバイスによって送信された登録要求応答メッセージを受信した後に、前記アクセスネットワーク制御デバイスによって、前記ＵＥのための前記少なくとも１つのロケーションエリア識別リストを設定するステップと、を含み、
前記アクセスネットワーク制御デバイスによって、前記第１ステーションを介して前記少なくとも１つのロケーションエリア識別リストを前記ＵＥに送信する前記ステップは、
前記アクセスネットワーク制御デバイスによって、前記第１ステーションを介して、前記少なくとも１つのロケーションエリア識別リストを含むアタッチ要求応答メッセージを前記ＵＥに送信するステップを含む、
請求項１乃至３のいずれか一項に記載の方法。
【請求項５】
前記方法は、
前記アクセスネットワーク制御デバイスによって、前記第１ステーションによって送信されたロケーションエリア更新要求メッセージを受信するステップであって、前記ロケーションエリア更新要求メッセージは、前記ロケーションエリアの更新を要求するために前記ＵＥによって使用される、ステップと、
前記ロケーションエリア更新要求メッセージに基づいて、前記アクセスネットワーク制御デバイスによって、前記ＵＥの前記ロケーションエリア識別リストを更新するステップと、
前記第１ステーションを介して前記アクセスネットワーク制御デバイスによって、ロケーションエリア更新要求応答メッセージを前記ＵＥに送信するステップであって、前記ロケーションエリア更新要求応答メッセージは、更新されたロケーションエリア識別リストを含む、ステップと、をさらに含む、
請求項１乃至４のいずれか一項に記載の方法。
【請求項６】
前記ロケーションエリア更新要求メッセージに基づいて、前記アクセスネットワーク制御デバイスによって、前記ＵＥの前記ロケーションエリア識別リストを更新する前記ステップの前に、前記方法は、
前記アクセスネットワーク制御デバイスによって、更新指示をコアネットワークデバイスに送信するステップであって、前記更新指示は、前記コアネットワークデバイスに、前記ＵＥに関連するアクセスネットワーク制御デバイスを前記アクセスネットワーク制御デバイスに更新するように命令するために使用される、ステップをさらに含む、請求項５に記載の方法。
【請求項７】
前記更新指示は前記ＵＥの識別情報を含む、
請求項６に記載の方法。
【請求項８】
前記方法は、
前記アクセスネットワーク制御デバイスによって、コアネットワークデバイスによって送信された第１のページングメッセージを受信するステップであって、前記第１のページングメッセージは、前記アクセスネットワーク制御デバイスに前記ＵＥにページングを実行するように命令するために使用される、ステップと、
前記アクセスネットワーク制御デバイスによって、前記ＵＥのために設定された前記ロケーションエリア識別リストに対応するステーションに第２のページングメッセージを送信するステップであって、前記第２のページングメッセージは前記ステーションに前記ＵＥにページングを実行するように命令するために使用される、ステップと、をさらに含む、
請求項１乃至７のいずれか一項に記載の方法。
【請求項９】
アクセスネットワーク制御デバイスであって、
第１ステーションを介してユーザ装置（ＵＥ）のロケーションエリア要求メッセージを受信するのに適合した第１受信ユニットであって、前記ＵＥは前記第１ステーションによって管理されるセル内に位置する、第１受信ユニットと、
前記ロケーションエリア要求メッセージに基づいて前記ＵＥのための少なくとも１つのロケーションエリア識別リストを設定するのに適合した処理ユニットであって、前記ロケーションエリア識別リストは少なくとも１つのロケーションエリア識別情報を含み、前記ロケーションエリア識別情報はロケーションエリアを識別するために使用される、処理ユニットと、
前記第１ステーションを介して前記少なくとも１つのロケーションエリア識別リストを前記ＵＥに送信するのに適合した第１送信ユニットと、を含む、
アクセスネットワーク制御デバイス。
【請求項１０】
前記ロケーションエリアは少なくとも２つのセルを含み、前記少なくとも２つのセルは異なる無線アクセス技術（ＲＡＴ）を使用する、請求項９に記載のアクセスネットワーク制御デバイス。
【請求項１１】
前記処理ユニットは、前記ロケーションエリア要求メッセージに基づいて前記ＵＥのための第１ロケーションエリア識別リストと第２ロケーションエリア識別リストを設定するのに特に適合し、
前記第１ロケーションエリア識別リストの任意のロケーションエリア識別情報によって識別されるロケーションエリア内に構成される全てのセルは第１のＲＡＴを使用し、前記第２ロケーションエリア識別リストの任意のロケーションエリア識別情報によって識別されるロケーションエリア内に構成される全てのセルは第２のＲＡＴを使用し、前記第１のＲＡＴは前記第２のＲＡＴとは異なる、
請求項９に記載のアクセスネットワーク制御デバイス。
【請求項１２】
前記第１受信ユニットによって受信される前記ロケーションエリア要求メッセージは、アタッチ要求メッセージであって、
前記デバイスは、前記第１受信ユニットによって受信された前記アタッチ要求メッセージに基づいて登録要求メッセージをコアネットワークデバイスに送信するのに適合した第２送信ユニットをさらに含み、
前記デバイスは、前記コアネットワークデバイスによって送信された登録要求応答メッセージを受信するのに適合した第２受信ユニットをさらに含み、
前記処理ユニットは、前記コアネットワークデバイスによって送信された前記登録要求応答メッセージを前記第２受信ユニットが受信した後に、前記ＵＥのための前記少なくとも１つのロケーションエリア識別リストを設定するのに特に適合し、
前記第１送信ユニットは、前記第１ステーションを介して前記少なくとも１つのロケーションエリア識別リストを含むアタッチ要求応答メッセージを前記ＵＥに送信するのに特に適合した、
請求項９乃至１１のいずれか一項に記載のアクセスネットワーク制御デバイス。
【請求項１３】
前記第１受信ユニットは、前記第１ステーションによって送信されたロケーションエリア更新要求メッセージを受信するのにさらに適合し、前記ロケーションエリア更新要求メッセージは、前記ロケーションエリアの更新を要求するために前記ＵＥによって使用され、前記処理ユニットは、前記ロケーションエリア更新要求メッセージに基づいて、前記ＵＥの前記ロケーションエリア識別リストを更新するのにさらに適合し、
前記第１送信ユニットは、前記第１ステーションを介して、更新されたロケーションエリア識別リストを含むロケーションエリア更新要求応答メッセージを前記ＵＥに送信するのに特に適合した、
請求項９乃至１２のいずれか一項に記載のアクセスネットワーク制御デバイス。
【請求項１４】
前記アクセスネットワーク制御デバイスは、前記ロケーションエリア更新要求メッセージに基づいて、前記処理ユニットが前記ＵＥの前記ロケーションエリア識別リストを更新する前に、更新指示をコアネットワークデバイスに送信するのに適合した第２送信ユニットをさらに含み、前記更新指示は、前記コアネットワークデバイスに、前記ＵＥに関連するアクセスネットワーク制御デバイスを前記アクセスネットワーク制御デバイスに更新するように命令するために使用される、
請求項１３に記載のアクセスネットワーク制御デバイス。
【請求項１５】
前記更新指示は前記ＵＥの識別情報を含む、
請求項１４に記載のアクセスネットワーク制御デバイス。
【請求項１６】
前記デバイスは、
コアネットワークデバイスによって送信された第１のページングメッセージを受信するのに適合した第２受信ユニットであって、前記第１のページングメッセージは、前記アクセスネットワーク制御デバイスに前記ＵＥにページングを実行するように命令するために使用される、第２受信ユニットをさらに含み、
前記第１送信ユニットは、前記ＵＥのために設定された前記ロケーションエリア識別リストに対応するステーションに第２のページングメッセージを送信するのにさらに適合し、前記第２のページングメッセージは前記ＵＥにページングを実行するために使用される、
請求項９乃至１５のいずれか一項に記載のアクセスネットワーク制御デバイス。
【請求項１７】
コアネットワークデバイスによって、アクセスネットワーク制御デバイスによって送信された更新指示を受信するステップであって、前記更新指示は、ユーザ装置（ＵＥ）の識別情報を含み、前記ＵＥに関連するアクセスネットワーク制御デバイスを前記アクセスネットワーク制御デバイスに更新するように命令するために使用される、ステップと、
前記コアネットワークデバイスによって、前記ＵＥの前記識別情報に基づいて、前記ＵＥに関連するアクセスネットワーク制御デバイスを前記アクセスネットワーク制御デバイスに更新するステップと、を含む、
移動管理方法。
【請求項１８】
前記方法は、
前記コアネットワークデバイスによって、識別マッピングリストを整備するステップであって、前記識別マッピングリストは、前記ＵＥの前記識別情報と前記アクセスネットワーク制御デバイスの識別情報との間のマッピング関係を示す、ステップをさらに含み、
前記コアネットワークデバイスによって、前記ＵＥの前記識別情報に基づいて、前記ＵＥに関連するアクセスネットワーク制御デバイスを前記アクセスネットワーク制御デバイスに更新する前記ステップは、
前記コアネットワークデバイスによって、前記ＵＥの前記識別情報に基づいて、前記ＵＥの前記識別情報にマッピングされ、かつ前記識別マッピングリストにある、アクセスネットワーク制御デバイスの識別情報を、前記アクセスネットワーク制御デバイスの前記識別情報に更新するステップを含む、
請求項１７に記載の方法。
【請求項１９】
前記方法は、
前記コアネットワークデバイスによって、リリース要求をソースアクセスネットワーク制御デバイスに送信するステップであって、前記リリース要求は、前記ソースアクセスネットワーク制御デバイスに、前記ＵＥのコンテキストをリリースするように命令するために使用され、前記ソースアクセスネットワーク制御デバイスは、前記更新する前の前記ＵＥに関連するアクセスネットワーク制御デバイスである、ステップをさらに含む、
請求項１７に記載の方法。
【請求項２０】
コアネットワークデバイスであって、
アクセスネットワーク制御デバイスによって送信された更新指示を受信するのに適合した受信ユニットであって、前記更新指示は、ユーザ装置（ＵＥ）の識別情報を含み、前記ＵＥは前記アクセスネットワーク制御デバイスによって管理されるセル内に位置する、受信ユニットと、
前記ＵＥの前記識別情報に基づいて、前記ＵＥに関連するアクセスネットワーク制御デバイスを前記アクセスネットワーク制御デバイスに更新するのに適合した、処理ユニットと、を含む、
コアネットワークデバイス。
【請求項２１】
前記処理ユニットは、識別マッピングリストを整備するのにさらに適合し、前記識別マッピングリストは、前記ＵＥの前記識別情報と前記アクセスネットワーク制御デバイスの識別情報との間のマッピング関係を示し、
前記処理ユニットは特に、
前記ＵＥの前記識別情報に基づいて、前記ＵＥの前記識別情報にマッピングされかつ前記識別マッピングリストにある、アクセスネットワーク制御デバイスの識別情報を、前記アクセスネットワーク制御デバイスの前記識別情報に更新するように構成される、
請求項２０に記載のコアネットワークデバイス。
【請求項２２】
前記デバイスは、送信ユニットをさらに含み、前記送信ユニットは、リリース要求をソースアクセスネットワーク制御デバイスに送信するのに適合し、前記リリース要求は、前記ソースアクセスネットワーク制御デバイスに、前記ＵＥのコンテキストをリリースするように命令するために使用され、前記ソースアクセスネットワーク制御デバイスは、前記更新する前の前記ＵＥに関連するアクセスネットワーク制御デバイスである、請求項２０に記載のコアネットワークデバイス。
【請求項２３】
コンピュータによって実行されるとき、前記コンピュータに、請求項１乃至８、１７乃至１９に記載のいずれか１つの方法を実行させる命令を含む、コンピュータ可読記憶媒体。
【請求項２４】
コンピュータによって実行されるとき、前記コンピュータに、請求項１乃至８、１７乃至１９に記載のいずれか１つの方法を実行させる命令を含む、プログラム。
【国際調査報告】
2019515593.tif 000013
2019515593.tif 000014
2019515593.tif 000015
2019515593.tif 000016